(57)【要約】【課題】表示内容の視認性の低下を抑制することができる透明ディスプレイ装置を提供すること。【解決手段】透過率変更部５１０は、表示部１１Ｎが表示面１１４ａに少なくとも画像および文字情報を表示する場合、透過率変更部５１０のうち、表示面１１４ａに表示される画像を含む領域である画像領域の透過率と、透過率変更部５１０のうち、表示面１１４ａに表示される文字情報を含む領域である文字領域の透過率とを異ならせる。【選択図】図１
2013041099.tif 000002
【特許請求の範囲】
【請求項１】
透明ディスプレイ装置であって、
透光性を有する表示部を備え、
前記表示部は、透光性を有する第１表示面を有し、
前記透明ディスプレイ装置は、さらに、
前記第１表示面の裏面と対向するように設けられた透過率変更部を備え、
前記透過率変更部は、前記表示部が前記第１表示面に少なくとも画像および文字情報を表示する場合、前記透過率変更部のうち、前記第１表示面に表示される前記画像を含む領域である画像領域の透過率と、前記透過率変更部のうち、前記第１表示面に表示される前記文字情報を含む領域である文字領域の透過率とを異ならせる
透明ディスプレイ装置。
【請求項２】
前記透過率変更部は、前記文字領域の透過率を、前記画像領域の透過率より大きくする
請求項１に記載の透明ディスプレイ装置。
【請求項３】
前記透過率変更部は、該透過率変更部のうち、少なくとも前記画像領域および前記文字領域以外の領域である背景領域の透過率を、前記文字領域の透過率より大きくする
請求項１または２に記載の透明ディスプレイ装置。
【請求項４】
前記透明ディスプレイ装置は、さらに、
前記表示部が前記第１表示面に少なくとも画像および文字情報を表示する場合、前記画像領域および前記文字領域の位置を特定し、前記画像領域の透過率と前記文字領域の透過率とを異ならせるよう、前記透過率変更部を制御する透過率制御部を備える
請求項１〜３のいずれか１項に記載の透明ディスプレイ装置。
【請求項５】
前記透過率変更部は、前記表示部が前記第１表示面に、前記文字情報と、画像としての静止画像および動画像とを表示する場合、（ｉ）前記透過率変更部のうち、前記第１表示面に表示される前記静止画像を含む静止画像領域の透過率を、前記透過率変更部のうち、前記第１表示面に表示される前記動画像を含む動画像領域の透過率より大きくするとともに、（ｉｉ）前記文字領域の透過率を前記静止画像領域の透過率より大きくする
請求項１〜３のいずれか１項に記載の透明ディスプレイ装置。
【請求項６】
前記表示部は、さらに、透光性を有する第２表示面を有し、
前記第１表示面の裏面と前記第２表示面の裏面とが対向するように、前記第１表示面および前記第２表示面は配置され、
前記表示部は、前記第１表示面および前記第２表示面の各々において同一の文字情報を左右正像で表示する
請求項１〜５のいずれか１項に記載の透明ディスプレイ装置。
【請求項７】
前記表示部は画像を表示する場合、前記第１表示面では前記画像を左右正像で表示し、前記第２表示面では前記画像を左右逆像で表示する
請求項６に記載の透明ディスプレイ装置。
【請求項８】
前記表示部は、前記第１表示面に対し垂直な方向において互いに一致する、前記第１表示面内の位置および前記第２表示面内の位置に前記画像を表示する
請求項７に記載の透明ディスプレイ装置。
【請求項９】
前記表示部は、前記第１表示面に対し垂直な方向において互いに一致する、前記第１表示面内の位置および前記第２表示面内の位置に前記同一の文字情報を表示する
請求項６または７に記載の透明ディスプレイ装置。
【請求項１０】
前記透明ディスプレイ装置は、さらに、
前記第１表示面および前記第２表示面に表示するための文字情報の向きを制御する文字情報表示方向制御部を備え、
前記文字情報表示方向制御部は、前記表示部に、前記第１表示面および前記第２表示面の各々において前記同一の文字情報を左右正像で表示させる
請求項６〜９のいずれか１項に記載の透明ディスプレイ装置。
【請求項１１】
前記文字情報表示方向制御部は、前記表示部に、前記第１表示面に対し垂直な方向において一致する、前記第１表示面内の領域および前記第２表示面内の領域において所定期間毎に前記同一の文字情報を左右正像で表示させるための時分割表示処理を行う
請求項１０に記載の透明ディスプレイ装置。
【請求項１２】
前記透明ディスプレイ装置は、さらに、
前記第１表示面および前記第２表示面に表示するための動画像の特徴を判定する動画像判定部と、
前記動画像判定部による判定結果に基づいて、前記第１表示面および前記第２表示面の各々において該動画像を表示する向きを制御する表示方向制御部とを備える
請求項６〜９のいずれか１項に記載の透明ディスプレイ装置。
【請求項１３】
前記表示部は、前記第１表示面および前記第２表示面が設けられた１つのパネルを有する
請求項１〜１２のいずれか１項に記載の透明ディスプレイ装置。
【請求項１４】
前記表示部は、前記第１表示面および前記第２表示面がそれぞれ設けられた第１パネルおよび第２パネルを有し、
前記透過率変更部は、前記第１パネルおよび前記第２パネルの間に設けられる
請求項１〜１２のいずれか１項に記載の透明ディスプレイ装置。
【発明の詳細な説明】
【技術分野】
【０００１】
本発明は、透明ディスプレイ装置に係わり、特に、画像や文字情報を表示することが可能で、表示面が透けて見える透明ディスプレイ装置に関するものである。
【背景技術】
【０００２】
近年、一対の透明電極に挟まれた発光層を有し、両面表示することが可能で、背景（表示面）が透けて見える透明ディスプレイ装置が注目されている。特に、有機ＥＬ（Electro-Luminescence）パネルを用いる透明ディスプレイ装置が注目されている（例えば、特許文献１参照）。
【先行技術文献】
【特許文献】
【０００３】
【特許文献１】特開２００７−０７１９４８号公報
【発明の概要】
【発明が解決しようとする課題】
【０００４】
ところで、上記透明ディスプレイ装置は、画像、文字等を表示する表示面が透光性を有する。そのため、該表示面の表示内容によっては当該表示内容が識別しにくく、当該表示内容の視認性が低下するという課題がある。
【０００５】
本発明は、このような課題を解決するもので、表示内容の視認性の低下を抑制することができる透明ディスプレイ装置を提供することを目的とする。
【課題を解決するための手段】
【０００６】
本発明の一態様に係る透明ディスプレイ装置は、透光性を有する表示部を備え、前記表示部は、透光性を有する第１表示面を有し、前記透明ディスプレイ装置は、さらに、前記第１表示面の裏面と対向するように設けられた透過率変更部を備え、前記透過率変更部は、前記表示部が前記第１表示面に少なくとも画像および文字情報を表示する場合、前記透過率変更部のうち、前記第１表示面に表示される前記画像を含む領域である画像領域の透過率と、前記透過率変更部のうち、前記第１表示面に表示される前記文字情報を含む領域である文字領域の透過率とを異ならせる。
【発明の効果】
【０００７】
本発明により、表示内容の視認性の低下を抑制することができる透明ディスプレイ装置を提供することができる。
【図面の簡単な説明】
【０００８】
【図１】本発明の実施の形態１に係る透明ディスプレイ装置の構成を示す図である。
【図２】本発明の実施の形態１に係る透明ディスプレイ装置の構成を示すブロック図である。
【図３Ａ】一般的なＬＣＤパネルの画素断面図である。
【図３Ｂ】照明を用いた構成を示す図である。
【図４Ａ】パネルの構成を示す図である。
【図４Ｂ】画素部の構成の一例を示す上面図である。
【図５】画素部の構成の一例を示す断面図である。
【図６】本発明の実施の形態１に係る透明ディスプレイ装置が行う処理のフローチャートである。
【図７】透過率変更部のうち、透過率を変更させるための領域を説明するための図である。
【図８】パネルの表示例を示す図である。
【図９】比較例に係る透明ディスプレイ装置の構成を示す図である。
【図１０】本発明の実施の形態１の変形例１に係る透過率変更部の構成を示す図である。
【図１１】本発明の実施の形態１の変形例２に係る透過率変更部の構成を示す図である。
【図１２】本発明の実施の形態２に係る透明ディスプレイ装置の構成を示すブロック図である。
【図１３】本発明の実施の形態２に係る透明ディスプレイ装置の断面図である。
【図１４】本発明の実施の形態２に係るパネルの構成を示す図である。
【図１５】画素部の構成の一例を示す上面図である。
【図１６】サブ画素部の断面図である。
【図１７】本発明の実施の形態２に係る透明ディスプレイ装置が行う処理のフローチャートである。
【図１８】比較例に係る透明ディスプレイ装置の動作に従ったパネルの表示例を示す図である。
【図１９】本発明の実施の形態３に係る透明ディスプレイ装置の構成を示すブロック図である。
【図２０】本発明の実施の形態３に係る透明ディスプレイ装置が行う処理のフローチャートである。
【図２１】本発明の実施の形態３に係る透明ディスプレイ装置の動作に従ったパネルの表示例を示す図である。
【図２２】一例としての文字情報の配置構成を示す図である。
【図２３】本発明の実施の形態４に係る透明ディスプレイ装置の断面図である。
【図２４】液晶シャッタパネルの駆動方法を説明するための図である。
【図２５】本発明の実施の形態５に係る透明ディスプレイ装置の構成を示すブロック図である。
【図２６】本発明の実施の形態５に係る透明ディスプレイ装置が行う処理のフローチャートである。
【図２７】本発明の実施の形態５に係る透明ディスプレイ装置の動作に従ったパネルの表示例を示す図である。
【図２８】本発明の実施の形態６に係る透明ディスプレイ装置の構成を示すブロック図である。
【図２９】本発明の実施の形態６に係る透明ディスプレイ装置が行う処理のフローチャートである。
【図３０】本発明の実施の形態６に係る透明ディスプレイ装置の動作に従ったパネルの表示例を示す図である。
【図３１】本発明の実施の形態６に係る透明ディスプレイ装置の動作に従ったパネルの表示例を示す図である。
【発明を実施するための形態】
【０００９】
本発明の一態様に係る透明ディスプレイ装置は、透光性を有する表示部を備え、前記表示部は、透光性を有する第１表示面を有し、前記透明ディスプレイ装置は、さらに、前記第１表示面の裏面と対向するように設けられた透過率変更部を備え、前記透過率変更部は、前記表示部が前記第１表示面に少なくとも画像および文字情報を表示する場合、前記透過率変更部のうち、前記第１表示面に表示される前記画像を含む領域である画像領域の透過率と、前記透過率変更部のうち、前記第１表示面に表示される前記文字情報を含む領域である文字領域の透過率とを異ならせる。
【００１０】
すなわち、前記透過率変更部は、前記表示部が前記第１表示面に少なくとも画像および文字情報を表示する場合、前記透過率変更部のうち、前記第１表示面に表示される前記画像を含む領域である画像領域の透過率と、前記透過率変更部のうち、前記第１表示面に表示される前記文字情報を含む領域である文字領域の透過率とを異ならせる。
【００１１】
これにより、画像領域に対応する画像と、文字領域に対応する文字情報とが識別しやすくなる。したがって、第１表示面に表示される表示内容の視認性の低下を抑制することができる。
【００１２】
また、好ましくは、前記透過率変更部は、前記文字領域の透過率を、前記画像領域の透過率より大きくする。
【００１３】
これにより、文字情報よりも、画像領域に対応する画像の視認性を向上することができる。
【００１４】
また、好ましくは、前記透過率変更部は、該透過率変更部のうち、少なくとも前記画像領域および前記文字領域以外の領域である背景領域の透過率を、前記文字領域の透過率より大きくする。
【００１５】
また、好ましくは、前記透明ディスプレイ装置は、さらに、前記表示部が前記第１表示面に少なくとも画像および文字情報を表示する場合、前記画像領域および前記文字領域の位置を特定し、前記画像領域の透過率と前記文字領域の透過率とを異ならせるよう、前記透過率変更部を制御する透過率制御部を備える。
【００１６】
また、好ましくは、前記透過率変更部は、前記表示部が前記第１表示面に、前記文字情報と、画像としての静止画像および動画像とを表示する場合、（ｉ）前記透過率変更部のうち、前記第１表示面に表示される前記静止画像を含む静止画像領域の透過率を、前記透過率変更部のうち、前記第１表示面に表示される前記動画像を含む動画像領域の透過率より大きくするとともに、（ｉｉ）前記文字領域の透過率を前記静止画像領域の透過率より大きくする。
【００１７】
これにより、静止画像よりも、動画像の視認性を向上することができる。
【００１８】
また、好ましくは、前記表示部は、さらに、透光性を有する第２表示面を有し、前記第１表示面の裏面と前記第２表示面の裏面とが対向するように、前記第１表示面および前記第２表示面は配置され、前記表示部は、前記第１表示面および前記第２表示面の各々において同一の文字情報を左右正像で表示する。
【００１９】
ここで、互いに向き合っているユーザＡおよびユーザＢの間に、透明ディスプレイ装置が配置されるとする。また、ユーザＡおよびユーザＢは、それぞれ、第１表示面および第２表示面を見ているとする。
【００２０】
この場合、前記第１表示面および前記第２表示面の各々において同一の文字情報が左右正像で表示されるため、ユーザＡおよびユーザＢは、当該文字情報を容易に認識することができる。そのため、複数人のユーザが透明ディスプレイ装置を挟んで対話する際に、情報共有を容易にすることができる。
【００２１】
また、好ましくは、前記表示部は画像を表示する場合、前記第１表示面では前記画像を左右正像で表示し、前記第２表示面では前記画像を左右逆像で表示する。
【００２２】
また、好ましくは、前記表示部は、前記第１表示面に対し垂直な方向において互いに一致する、前記第１表示面内の位置および前記第２表示面内の位置に前記画像を表示する。
【００２３】
また、好ましくは、前記表示部は、前記第１表示面に対し垂直な方向において互いに一致する、前記第１表示面内の位置および前記第２表示面内の位置に前記同一の文字情報を表示する。
【００２４】
また、好ましくは、前記透明ディスプレイ装置は、さらに、前記第１表示面および前記第２表示面に表示するための文字情報の向きを制御する文字情報表示方向制御部を備え、前記文字情報表示方向制御部は、前記表示部に、前記第１表示面および前記第２表示面の各々において前記同一の文字情報を左右正像で表示させる。
【００２５】
また、好ましくは、前記文字情報表示方向制御部は、前記表示部に、前記第１表示面に対し垂直な方向において一致する、前記第１表示面内の領域および前記第２表示面内の領域において所定期間毎に前記同一の文字情報を左右正像で表示させるための時分割表示処理を行う。
【００２６】
また、好ましくは、前記透明ディスプレイ装置は、さらに、前記第１表示面および前記第２表示面に表示するための動画像の特徴を判定する動画像判定部と、前記動画像判定部による判定結果に基づいて、前記第１表示面および前記第２表示面の各々において該動画像を表示する向きを制御する表示方向制御部とを備える。
【００２７】
また、好ましくは、前記表示部は、前記第１表示面および前記第２表示面が設けられた１つのパネルを有する。
【００２８】
また、好ましくは、前記表示部は、前記第１表示面および前記第２表示面がそれぞれ設けられた第１パネルおよび第２パネルを有し、前記透過率変更部は、前記第１パネルおよび前記第２パネルの間に設けられる。
【００２９】
以下に，本発明の一実施の形態を説明するが，当然ながら本発明はこれらの形態に限定されるものでなく，本発明の技術的範囲を逸脱しない範囲で適宜変更して実施することができる。また、以下の説明では、同一の構成要素には同一の符号を付してある。それらの名称および機能も同じである。したがって、それらについての詳細な説明を省略する場合がある。
【００３０】
（比較例）
以下、図面を参照しながら、比較例に係る透明ディスプレイ装置９００について説明する。
【００３１】
図９は、比較例に係る透明ディスプレイ装置９００の構成を示す図である。
【００３２】
図９（ａ）は、比較例に係る透明ディスプレイ装置９００の斜視図である。図９（ａ）において、Ｘ，Ｙ，Ｚ方向の各々は、互いに直交する。以下の図に示されるＸ，Ｙ，Ｚ方向の各々も、互いに直交する。以下においては、Ｙ方向に沿ったＹ軸の方向を、Ｙ軸方向ともいう。Ｙ軸方向は、Ｙ方向と、当該Ｙ方向の反対の方向とを含む方向である。
【００３３】
図９（ｂ）は、比較例に係る透明ディスプレイ装置９００の断面図である。
【００３４】
図９（ａ）および図９（ｂ）に示すように、透明ディスプレイ装置９００は、パネル９１４を有する。パネル９１４は、透過型両面発光パネルである。パネル９１４には、表示面９１４ａ，９１４ｂが設けられる。表示面９１４ａの裏面と表示面９１４ｂの裏面とが対向するように、表示面９１４ａおよび表示面９１４ｂは配置される。表示面９１４ａ，９１４ｂの各々は、可視光に対して透明な表示面である。パネル９１４は、表示面９１４ａおよび表示面９１４ｂが並ぶＹ方向に沿ったＹ軸方向に対し透光性を有する。
【００３５】
比較例に係る透明ディスプレイ装置９００では、以下の問題点がある。
【００３６】
具体的には、パネル９１４が透過性（透光性）を有することにより、パネル９１４に表示される画像および文字等のコントラストは、透過性（透光性）を有さないパネルのコントラストより低い。
【００３７】
ここで、例えば、画像のコントラストとは、表示面（例えば、表示面９１４ａ）において何も表示されてない領域の明るさと、当該画像の明るさの比である。文字（文字情報）のコントラストも、画像のコントラストと同様である。
【００３８】
上記理由により、透明ディスプレイ装置９００が表示する画像及び文字情報は見えにくくなる。また、画像および文字情報とが重なると、画像および文字情報の表示が見えにくくなる。文字情報は、当該文字情報のコントラストが低くても比較的認識可能である。しかしながら、画像は、当該画像のコントラストが低い場合、当該画像を認識するのが困難である。
【００３９】
また、動画像は、当該動画像の動きと、背景の動きとが重なったり、当該動画像と背景とのコントラストが変化するため、静止画像より認識するのが困難である。ここで、背景とは、表示面９１４ａにおいて何も表示されてない領域である。本発明は、このような課題を解決する。
【００４０】
（実施の形態１）
以下、本発明の実施の形態１について、図面を参照しながら説明する。なお、本明細書において、「透明」とは、「透明または透光性を有する」という概念を含むとする。また、本明細書において、「透過率」はパネルに入射される可視光の明るさ（光量）に対する、パネルを通過する可視光の明るさ（光量）の割合を指す。言い換えれば、「透過率」は、可視光に対する透過率である。
【００４１】
さらに、本明細書において、文字情報とは、一般的に、シフトＪＩＳ、ユニコードまたはＩＶＳ等の文字コードにより特定可能な文字または記号等を示す情報である。すなわち、文字情報は、文字または記号を示す情報である。例えば、文字情報は、文字のみを示してもよいし、文字および記号を示してもよい。すなわち、文字情報は、少なくとも文字を示す情報である。なお、文字情報が、文字のみを示す場合、当該文字情報は、文字に相当する。また、文字情報は、上記文字または記号が一方向に移動するテロップであってもよい。
【００４２】
また、本明細書において、画像は、動画像および静止画像のいずれであってもよい。静止画像は、例えば、写真、イラストなどを示す画像である。
【００４３】
図１は、本発明の実施の形態１に係る透明ディスプレイ装置１０１の構成を示す図である。図１（ａ）は、実施の形態１に係る透明ディスプレイ装置１０１の斜視図である。図１（ｂ）は、実施の形態１に係る透明ディスプレイ装置１０１の断面図である。
【００４４】
図１（ａ）および図１（ｂ）に示すように、透明ディスプレイ装置１０１は、画像、文字等を表示するための表示面１１４ａ，１１４ｄが設けられた表示部１１Ｎを有する。なお、表示部１１Ｎについては後述する。表示面１１４ａの裏面と表示面１１４ｄの裏面とが対向するように、表示面１１４ａおよび表示面１１４ｄは配置される。
【００４５】
表示面１１４ａ，１１４ｄの各々は、特定方向（Ｙ軸方向）に対し垂直に設けられる。
【００４６】
表示面１１４ａ，１１４ｄの各々は、可視光に対して透明な表示面である。すなわち、表示面１１４ａ，１１４ｄの各々は、透光性を有する。本明細書において、当該透光性とは、可視光を透過させる性質である。透明ディスプレイ装置１０１（表示部１１Ｎ）は、表示面１１４ａおよび表示面１１４ｄが並ぶＹ軸方向に対し少なくとも透光性を有する。なお、透明ディスプレイ装置１０１（表示部１１Ｎ）は、Ｙ軸方向に限定されず、Ｙ軸方向を例えば３０度傾けた方向に対し透光性を有してもよい。すなわち、表示部１１Ｎは、透光性を有する。
【００４７】
実施の形態１では、表示面１１４ａ，１１４ｄの各々の解像度およびサイズは、同じである。なお、表示面１１４ａ，１１４ｄの各々の解像度およびサイズは、異なっていてもよい。
【００４８】
図２は、本発明の実施の形態１に係る透明ディスプレイ装置１０１の構成を示すブロック図である。なお、図２では、説明のために画像データ供給部２４も示している。
【００４９】
図２に示すように、透明ディスプレイ装置１０１は、表示部１１Ｎと、表示制御部１２と、信号処理部１３Ｎと、透過率制御部５０１とを備える。
【００５０】
表示部１１Ｎは、パネル１４と、透過率変更部５１０と、図示しないドライブ回路とを有する。
【００５１】
パネル１４は、透過型両面発光パネルである。パネル１４には、図１（ｂ）に示すように、前述の表示面１１４ａと、表示面１１４ｂとが設けられる。表示面１１４ａの裏面と表示面１１４ｂの裏面とが対向するように、表示面１１４ａおよび表示面１１４ｂは配置される。表示面１１４ｂは、表示面１１４ａと同様に、透光性を有する。
【００５２】
パネル１４は、例えば、アクティブマトリックスタイプの有機ＥＬ（Electro Luminescence）パネルである。また、上記ドライブ回路は、該パネル１４を駆動する回路である。
【００５３】
また、本実施の形態では、パネル１４は、有機ＥＬパネルであるとして説明するがこれに限定されない。
【００５４】
例えば、パネル１４は、ＬＣＤ（Ｌｉｑｕｉｄ Ｃｒｙｓｔａｌ Ｄｉｓｐｌａｙ）パネルであってもよい。図３Ａは一般的なＬＣＤパネルの画素断面図である。
【００５５】
ＬＣＤパネルは、一般的にガラス基板４１とガラス基板４８との間に封入された液晶層４５と、出入りする光をコントロールする偏光板４０，４９と、液晶を駆動するための透明電極４３，４７と、液晶分子を一定方向に並べるための配光膜４４，４６と、色を表示するためのカラーフィルタ４２とを含む。
【００５６】
通常の液晶ディスプレイでは、ＬＣＤパネルに加え、バックライトユニットを備え、ＬＣＤパネルの背後にある照明により光を透過させ、透過する光を制御して画像を表示する。しかし、バックライトユニットは、一般的に非透過なので背景が遮断されるので、背景が見えない。
【００５７】
従って、背景を見えるようにするために、図３Ｂに示すように、パネル１４（透明ディスプレイ装置１０１）の両側にいるユーザ（観察者）４０１，４０２を照明で明るく照らし、ユーザ４０１，４０２の各々の反射光を相手側に透過させる。これにより、ユーザ４０１，４０２は、対面するユーザの表情やしぐさを確認しながら、画像の表示を同時に見ることが可能となる。
【００５８】
また、パネル１４は、例えば、ＰＤＰ（Ｐｌａｓｍａ Ｄｉｓｐｌａｙ Ｐａｎｅｌ）、無機ＥＬを用いたパネル、または、無機ＬＥＤを用いたパネルであってもよい。
【００５９】
前述の無機ＥＬは、例えば、ＺｎＳ、ＣｄＳ、ＺｎＳｅ（Ｇａドープ：Ｇａ２Ｓ３、Ｇａ２Ｓｅ３、ＧａＡｓ、Ａｌドープ：Ａｌ２Ｓ３、Ａｌ２Ｓｅ３、Ｉｎドープ：Ｉｎ２Ｓ３、Ｉｎ２Ｓｅ３）などである。また、前述の無機ＬＥＤは、Ｐ型とＮ型をド−プしたＧａＮ半導体である。
【００６０】
透過率変更部５１０は、表示面１１４ａの裏面と対向するように設けられる。詳細は後述するが、透過率変更部５１０は、該透過率変更部５１０の透過率を変更する機能を有する。透過率変更部５１０の形状は、一例として、板状である。パネル１４と透過率変更部５１０とにより１つのパネル（以下、パネルＡともいう）が構成される。パネルＡには、表示面１１４ａ，１１４ｄが設けられる。すなわち、表示部１１Ｎは、表示面１１４ａおよび表示面１１４ｄが設けられた１つのパネルＡを有する。
【００６１】
表示制御部１２は、第１パネル制御回路１５を有する。第１パネル制御回路１５は、パネル１４の画像表示を制御する。
【００６２】
信号処理部１３Ｎは、パネル１４に表示するための画像および文字情報等を、表示制御部１２に送信する。
【００６３】
画像データ供給部２４は、パネル１４に表示するための画像等を信号処理部１３Ｎに供給する。画像データ供給部２４は、例えば、アンテナ２５と、チューナ２６と、復調回路２７と、入力端子２８と、記憶装置２９とを有する。
【００６４】
アンテナ２５は、画像が重畳された放送波を受信する。以下においては、画像が重畳された放送波から得られる画像を、放送受信画像ともいう。
【００６５】
チューナ２６は、特定の周波数帯域の放送波を選択し、当該放送波を、復調回路２７へ送信する。復調回路２７は、放送波を復調することにより、放送受信画像を取得し、当該放送受信画像を出力する。
【００６６】
入力端子２８は、外部から画像を得るための端子である。以下においては、入力端子２８が、外部から取得した画像を、外部入力画像ともいう。
【００６７】
記憶装置２９は、画像としてのコンテンツデータを記憶する。以下においては、記憶装置２９に記憶される画像を、内部記憶画像ともいう。以下においては、放送受信画像、外部入力画像および内部記憶画像の各々を、単に、画像ともいう。当該画像は、動画像または静止画像である。
【００６８】
入力端子２８には、画像および文字情報の一方または両方が入力される。
【００６９】
画像データ供給部２４は、さらに、画像選択回路３０を有する。画像選択回路３０は、放送受信画像、外部入力画像および内部記憶画像を受信する。また、画像選択回路３０は、受信する各画像に対応する文字情報も受信する。
【００７０】
画像選択回路３０は、放送受信画像、外部入力画像および内部記憶画像のいずれかを選択し、選択した画像および当該画像に対応する文字情報を、信号処理部１３Ｎへ送信する。
【００７１】
なお、画像選択回路３０は、画像とともに、当該画像の座標も、信号処理部１３Ｎへ送信する。当該画像の座標は、当該画像を表示する位置である。また、画像選択回路３０は、文字情報とともに、当該文字情報の座標も、信号処理部１３Ｎへ送信する。当該文字情報の座標は、当該文字情報を表示する位置である。
【００７２】
当該座標は、例えば、座標（ｙ（整数）、ｘ（整数））で表現される。ｘは、水平方向の座標である。ｙは垂直方向の座標である。例えば、画像の座標が（１０，２０）である場合、当該画像は、表示面１１４ａ内の座標（１０，２０）の位置を、当該画像の左上の位置として表示される。
【００７３】
なお、本実施の形態では、１つのパネル１４を用いる。そのため、表示面１１４ｂ，１１４ｄにおける座標は、表示面１１４ａの座標を水平方向に反転した座標に相当する。ここで、表示面１１４ａ，１１４ｂの各々のサイズは、一例として、横１９２０画素×縦１０８０画素のサイズであるとする。また、一例として、座標ｘは０〜１９１９の値で表現され、座標ｙは、０〜１０７９の値で表現されるとする。この場合、表示面１１４ａの左上端の座標（０，０）は、表示面１１４ｂ，１１４ｄの座標（０，１９１９）に相当する。
【００７４】
図４Ａは、パネル１４の構成を示す図である。
【００７５】
図４Ａに示すように、パネル１４は、複数の画素部ＰＸ１０を含む。複数の画素部ＰＸ１０は、行列状に配置される。複数の画素部ＰＸ１０の各々は、外部から供給される信号に応じて発光する。
【００７６】
パネル１４に含まれる複数の画素部ＰＸ１０が構成する一方の平面および他方の平面が、それぞれ、表示面１１４ａおよび表示面１１４ｂである。１つの画素部ＰＸ１０は、１つの画素に対応する。したがって、表示面１１４ａおよび表示面１１４ｂの各々は、複数の画素から構成される。
【００７７】
図１（ｂ）に示すように、透過率変更部５１０は、表示面１１４ｂを覆うように設けられる。透過率変更部５１０のうち、表示面１１４ｂと対向する面の反対側には、表示面１１４ｄが形成される。
【００７８】
透過率変更部５１０は、透過率制御部５０１の制御により、透過率変更部５１０のうち、パネル１４を構成する複数の画素部ＰＸ１０の各々に対応する領域の透過率を変更する。
【００７９】
図４Ｂは、画素部ＰＸ１０の構成の一例を示す上面図である。
【００８０】
図５は、画素部ＰＸ１０の構成の一例を示す断面図である。なお、図５には、説明のために、透過率変更部５１０も示される。
【００８１】
図４Ｂおよび図５に示すように、画素部ＰＸ１０は、サブ画素部ＰＸＲ，ＰＸＧ，ＰＸＢから構成される。サブ画素部ＰＸＲ，ＰＸＧ，ＰＸＢは、それぞれ、赤、緑および青色の光を発する画素部である。以下においては、サブ画素部ＰＸＲ，ＰＸＧ，ＰＸＢの各々を、単に、サブ画素部ＰＸとも表記する。
【００８２】
ここでは、一例として、サブ画素部ＰＸＢの構成について説明する。
【００８３】
図５に示すように、サブ画素部ＰＸＢは、主に、ガラス基板Ｐ１１と、アノード電極Ｐ１３と、発光層Ｐ１４と、カソード電極Ｐ１５と、保護層Ｐ１６と、透明シールＰ１７とを含む。
【００８４】
ガラス基板Ｐ１１上には、Ａｌ配線Ｐ１２が形成される。当該Ａｌ配線Ｐ１２の上方には、アノード電極Ｐ１３が積層される。アノード電極Ｐ１３は、ＩＴＯ（透明導電膜）で構成される透明な電極である。
【００８５】
発光層Ｐ１４は、光を発する有機ＥＬ層である。サブ画素部ＰＸＢでは、発光層Ｐ１４は、主に緑色の光を放射する。
【００８６】
発光層Ｐ１４は、アノード電極Ｐ１３上に積層される。カソード電極Ｐ１５は、光透過性を有する。カソード電極Ｐ１５は、発光層Ｐ１４の上部に積層される。保護層Ｐ１６は、透明な層である。保護層Ｐ１６は、カソード電極Ｐ１５の上部に積層される。透明シールＰ１７は、保護層Ｐ１６の上部に形成される。カソード電極Ｐ１５側の保護層Ｐ１６は、発光層Ｐ１４を劣化させる水分の浸入を防ぐものである。透明シールＰ１７は、ガラス基板である。
【００８７】
このような構造のパネル１４の発光層Ｐ１４に所定の電圧を印加すると、発光層Ｐ１４自体が発光し、その光は光透過性のカソード電極Ｐ１５を経由して上部方向に照射される。一方、発光層Ｐ１４自体が発する光は、下部側の透明なアノード電極Ｐ１３を経由してガラス基板Ｐ１１を透過して下部方向にも照射される。 このようにして、発光層Ｐ１４が発する光が、アノード電極Ｐ１３側及びカソード電極Ｐ１５側の両面に照射される。
【００８８】
なお、各サブ画素部ＰＸにおいて、透明シールＰ１７方向に進む光の光量は、ガラス基板Ｐ１１方向に進む光の光量より大きい。すなわち、図１（ｂ）に示されるように、表示面１１４ａを通過する光の光量は、表示面１１４ｂ（表示面１１４ｄ）を通過する光の光量より大きい。
【００８９】
本実施の形態では、サブ画素部ＰＸＢのうち透明シールＰ１７側に形成される面が、表示面１１４ａであるとする。また、サブ画素部ＰＸＢのうちガラス基板Ｐ１１側に形成される面が、表示面１１４ｂであるとする。なお、表示面１１４ａ，１１４ｂの各々の形成位置は、上記位置と反対であってもよい。
【００９０】
なお、サブ画素部ＰＸＲ，ＰＸＧの各々は、サブ画素部ＰＸＢと同様な構成を有するので詳細な説明は繰り返さない。
【００９１】
再び、図４Ｂを参照して、サブ画素部ＰＸＲ，ＰＸＧ，ＰＸＢは、それぞれ、発光領域ＬＲ１．１，ＬＲ１．２，ＬＲ１．３を含む。発光領域ＬＲ１．１，ＬＲ１．２，ＬＲ１．３の各々は、対応するサブ画素部ＰＸの発光層Ｐ１４に形成される領域である。例えば、発光領域ＬＲ１．１は、サブ画素部ＰＸＲに含まれる発光層Ｐ１４に形成される領域である。
【００９２】
次に、透過率変更部５１０について説明する。
【００９３】
透過率変更部５１０は、第１偏光板５１１と、第１基板５１２と、第１透明電極５１３と、液晶層５１４と、第２透明電極５１５と、第２基板５１６と、第２偏光板５１７とを含む。
【００９４】
液晶層５１４は、光の遮断する量を変化させる光遮断層である。液晶層５１４の上部および下部には、それぞれ、第１透明電極５１３および第２透明電極５１５はが形成される。すなわち、第１透明電極５１３と第２透明電極５１５との間には液晶層５１４が形成されている。
【００９５】
第１透明電極５１３の上部には、第１基板５１２が形成される。第１基板５１２の上部には、第１偏光板５１１が形成される。
【００９６】
第２透明電極５１５の下部には、第２基板５１６が形成される。第２基板５１６の下部には、第２偏光板５１７が形成される。
【００９７】
第１透明電極５１３および第２透明電極５１５は、互いに対向するように配置される。第１基板５１２および第２基板５１６は、互いに対向するように配置される。第１偏光板５１１および第２偏光板５１７は、互いに対向するように配置される。
【００９８】
また、透過率変更部５１０は、外部からの指示に従って、第１透明電極５１３および第２透明電極５１５に電圧を印加する制御部（図示せず）をさらに備える。
【００９９】
液晶層５１４は、制御部により印加される電圧が、第１透明電極５１３および第２透明電極５１５に印加されることによって、当該液晶層５１４を透過する光の量を変化させる。すなわち、液晶層５１４は、当該液晶層５１４に向かう光を遮断または透過させる。
【０１００】
本実施の形態では、透過率変更部５１０のうち、第２偏光板５１７側に形成される面が、表示面１１４ｄであるとする。
【０１０１】
次に、透過率変更部５１０の動作について説明する。例えば、透過率変更部５１０がＴＮ（Ｔｗｉｓｔｅｄ  Ｎｅｍａｔｉｃ）液晶装置であるとする。この場合、第１透明電極５１３と第２透明電極５１５に印加される電圧によって、液晶層５１４内の液晶の配列が変化する。すなわち、電圧が印加されない状態（オフ状態）であれば液晶層５１４内の液晶は、９０度だけツイスト（ｔｗｉｓｔ）配列する。一方、電圧が印加される状態（オン状態）であれば液晶層５１４の液晶は、基板（例えば、第１基板５１２）に対して垂直に配列する。
【０１０２】
ここで、図５において、仮に、光源が、第１偏光板５１１の上方にあるとして説明する。
【０１０３】
この場合、電圧が印加されない状態（オフ状態）では、第１偏光板５１１は、光源から出射された光のうち第１偏光軸と一致する第１線偏光だけを透過させる。
【０１０４】
第１線偏光は９０度だけツイスト配列した液晶を含む液晶層５１４を通過することによって、偏光状態が第２透過軸と一致する第２線偏光に変化する。第２線偏光は第２偏光板５１７の透過軸と一致しており、そのまま基板を通過する。
【０１０５】
一方、電圧が印加される状態（オン状態）では、第１偏光板５１１は、光源から出射された光のうち第１偏光軸と一致する第１線偏光だけを透過させる。第１線偏光は、基板に対し垂直に配列された液晶を含む液晶層５１４をそのまま通過するが、この第１線偏光は第２偏光板５１７によって遮断される。
【０１０６】
このように、透過率変更部５１０の第１偏光板５１１および第２偏光板５１７は、光が液晶層５１４を通過する間、電圧の大きさに応じた、偏光軸の回転角度によって透過光の強さが調節され、黒色と白色との間の階調（Ｇｒａｙ）を表すことができるようになる。
【０１０７】
なお、本実施の形態では、光源は、一例として、第２偏光板５１７（表示面１１４ｄ）側の近傍にあるとする。当該光源は、照明等からの光等が反射した間接光を発する部分であるとする。なお、当該光源は、光を発するランプ等であってもよい。
【０１０８】
透過率変更部５１０は、パネル１４に含まれる画素部ＰＸ１０の数と同じ数の画素部ＰＸ２０で構成される。ここで、表示面１１４ｄと平行な方向は、Ｚ軸方向であるとする。
【０１０９】
透過率変更部５１０における１つの画素部ＰＸ２０のＺ軸方向のサイズと、１つの画素部ＰＸ１０のＺ軸方向のサイズは同じである。
【０１１０】
透過率変更部５１０の１つの画素部ＰＸ２０には、パネル１４の１つの画素部ＰＸ１０が積層される。そのため、表示部１１Ｎは、１画素単位で、表示部１１Ｎ（パネル１４）の透過率を調整出来る。
【０１１１】
具体的には、透過率変更部５１０は、透過率制御部５０１の制御により、透過率変更部５１０のうち、パネル１４を構成する複数の画素部ＰＸ１０の各々に対応する領域の透過率を変更する。当該複数の画素部ＰＸ１０の各々に対応する領域は、複数の画素部ＰＸ２０から構成される。すなわち、透過率変更部５１０は、各画素部ＰＸ２０に対応する第１透明電極５１３および第２透明電極５１５に印加される電圧の大きさに応じて、透過率変更部５１０のうち、当該画素部ＰＸ１０を覆う領域（画素部ＰＸ２０）の透過率を変更する。
【０１１２】
以下においては、画素部ＰＸ２０の第１透明電極５１３と第２透明電極５１５に印加される電圧を、単に、画素部ＰＸ２０に印加される電圧ともいう。
【０１１３】
例えば、透過率変更部５１０は、画素部ＰＸ２０に印加される電圧が大きい程、当該画素部ＰＸ２０の透過率を１００に近づける。透過率が１００の画素部ＰＸ２０は、当該画素部ＰＸ２０に向かう光をほぼ１００％透過させる。
【０１１４】
一方、透過率変更部５１０は、画素部ＰＸ２０に印加される電圧が小さい程（０に近い程）、当該画素部ＰＸ２０の透過率を０に近づける。透過率が０の画素部ＰＸ２０は、当該画素部ＰＸ２０に向かう光を遮断する。
【０１１５】
なお、透過率変更部５１０は、画素部ＰＸ２０に印加される電圧が小さい程（０に近い程）、当該画素部ＰＸ２０の透過率を１００に近づけてもよい。
【０１１６】
例えば、ある画素部ＰＸ２０に電圧が印加されていない場合、当該画素部ＰＸ２０の透過率は１００である。この場合、当該光源からの光は、表示面１１４ｄ（第２偏光板５１７）から、透過率が１００の画素部ＰＸ２０内における、液晶層５１４、第１偏光板５１１等を通過して、表示面１１４ａに向かって進む。
【０１１７】
次に、透明ディスプレイ装置１０１が行う処理について説明する。
【０１１８】
図６は、本発明の実施の形態１に係る透明ディスプレイ装置１０１が行う処理のフローチャートである。
【０１１９】
図７は、透過率変更部５１０のうち、透過率を変更させるための領域を説明するための図である。図７（ａ）は、表示面１１４ａの表示例を示す図である。図７（ｂ）は、透過率変更部５１０における各領域を説明するための図である。
【０１２０】
ここで、一例として、画像データ供給部２４は、オブジェクト画像３０２および当該オブジェクト画像３０２の座標を、信号処理部１３Ｎへ送信するとする。以下においては、オブジェクト画像３０２の座標を、画像座標Ａともいう。
【０１２１】
また、画像データ供給部２４は、文字情報３０１および当該文字情報３０１の座標を、信号処理部１３Ｎへ送信するとする。以下においては、文字情報３０１の座標を、文字座標Ａともいう。
【０１２２】
また、画像データ供給部２４は、動画像３０３および当該動画像３０３の座標を、信号処理部１３Ｎへ送信するとする。以下においては、動画像３０３の座標を、動画像座標Ａともいう。動画像３０３は、例えば、動きの変化が大きいオブジェクト画像３０３ａを示す動画像である。
【０１２３】
文字情報３０１は、一例として、文字列「ＣＡＴ」を示す。また、図８に示すように、ユーザ４０１は、表示面１１４ａに対向する位置におり、表示面１１４ａを見ているとする。
【０１２４】
また、間接光が、第２偏光板５１７（表示面１１４ｄ）側から、表示面１１４ａに向かって照射されているとする。間接光は、照明等からの光等が反射した光である。すなわち、光源は、第２偏光板５１７（表示面１１４ｄ）側の近傍にあるとする。
【０１２５】
この場合、ステップＳ１００Ｎの表示処理Ｎでは、信号処理部１３Ｎが、受信したオブジェクト画像３０２、画像座標Ａ、文字情報３０１、文字座標Ａ、動画像３０３および動画像座標Ａを、第１パネル制御回路１５および透過率制御部５０１へ送信する。
【０１２６】
そして、表示制御処理Ｎと、透過率変更処理Ｎとが独立して並列に実行される。
【０１２７】
表示制御処理Ｎでは、第１パネル制御回路１５は、受信したデータ（例えば、画像）およびその座標に基づいて、受信した各データを、パネル１４の表示面１１４ａ内の対応する座標の位置に、当該データを表示するよう、ドライブ回路を用いてパネル１４を制御する。なお、ドライブ回路を用いたパネル１４の制御は、周知な制御であるので詳細な説明は行わない。
【０１２８】
例えば、第１パネル制御回路１５は、パネル１４の表示面１１４ａ内の画像座標Ａの位置に、オブジェクト画像３０２を表示するよう、ドライブ回路を用いてパネル１４を制御する。これにより、表示面１１４ａにオブジェクト画像３０２が表示される。
【０１２９】
第１パネル制御回路１５は、オブジェクト画像３０２に対する上記処理と同様な処理を、文字情報３０１および動画像３０３に対しても行う。これにより、図７（ａ）に示されるように、表示面１１４ａには、文字情報３０１、オブジェクト画像３０２、動画像３０３が表示される。
【０１３０】
透過率変更処理Ｎでは、透過率制御部５０１は、受信したデータ（例えば、画像）およびその座標に基づいて、透過率変更部５１０のうち、透過率を変更させる領域を特定する。
【０１３１】
具体的には、透過率制御部５０１は、透過率変更部５１０のうち、文字情報３０１を含む領域を、文字領域３０１Ｒとして特定する。文字領域３０１Ｒのサイズは、文字情報３０１のサイズと同じサイズ、または、文字情報３０１のサイズより大きいサイズである。文字領域３０１Ｒは、前記透過率変更部５１０のうち、前記表示面１１４ａに表示される前記文字情報３０１を前記特定方向（Ｙ軸方向）に対し垂直な方向において含む領域である。
【０１３２】
なお、文字領域３０１Ｒは、文字情報３０１が示す各文字の形状と同じ形状の領域であってもよい。
【０１３３】
また、透過率制御部５０１は、オブジェクト画像３０２を含む境界線３０２Ｌ（図７（ａ）参照）を生成する。そして、透過率制御部５０１は、透過率変更部５１０のうち、境界線３０２Ｌ内の領域を、静止画像領域３０２Ｒとして特定する（図７（ｂ）参照）。
【０１３４】
静止画像領域３０２Ｒは、前記透過率変更部５１０のうち、前記表示面１１４ａに表示される前記静止画像（オブジェクト画像３０２）を前記特定方向（Ｙ軸方向）に対し垂直な方向において含む領域である。
【０１３５】
なお、特定される静止画像領域３０２Ｒは、オブジェクト画像３０２の形状と同じ形状の領域であってもよい。
【０１３６】
また、透過率制御部５０１は、透過率変更部５１０のうち、動画像３０３を含む領域を、動画像領域３０３Ｒとして特定する。動画像領域３０３Ｒのサイズは、動画像３０３のサイズと同じサイズ、または、動画像３０３のサイズより大きいサイズである。
【０１３７】
動画像領域３０３Ｒは、前記透過率変更部５１０のうち、前記表示面１１４ａに表示される前記動画像３０３を前記特定方向（Ｙ軸方向）に対し垂直な方向において含む領域である。
【０１３８】
なお、文字領域３０１Ｒ、静止画像領域３０２Ｒおよび動画像領域３０３Ｒの各々の形状は、矩形に限定されず、例えば、楕円形等であってもよい。
【０１３９】
静止画像領域３０２Ｒおよび動画像領域３０３Ｒの各々は、前記透過率変更部５１０のうち、表示面１１４ａに表示される画像（オブジェクト画像３０２または動画像３０３）を前記特定方向（Ｙ軸方向）に対し垂直な方向において含む画像領域である。
【０１４０】
また、透過率制御部５０１は、透過率変更部５１０のうち、文字領域３０１Ｒ、静止画像領域３０２Ｒおよび動画像領域３０３Ｒ以外の領域を背景領域３０４として特定する。
【０１４１】
なお、特定される背景領域３０４は、表示面１１４ａの表示状態により異なる。例えば、表示制御処理Ｎにより、表示面１１４ａに、文字情報３０１、オブジェクト画像３０２が表示された場合、背景領域は、透過率変更部５１０のうち、文字領域３０１Ｒおよび静止画像領域３０２Ｒ以外の領域である。すなわち、背景領域３０４は、透過率変更部５１０の一部の領域であって、かつ、パネル１４において発光してない領域を覆う領域である。
【０１４２】
文字領域３０１Ｒ、静止画像領域３０２Ｒおよび動画像領域３０３Ｒの領域の種類は、それぞれ、文字領域、静止画像領域および動画像領域である。
【０１４３】
そして、透過率制御部５０１は、特定した領域の種類に応じて、当該領域の透過率を、透過率変更部５１０に変更させる。具体的には、透過率制御部５０１は、特定した各領域の透過率が、以下の式１を満たすように、透過率変更部５１０を制御する。
【０１４４】
背景透過率＞文字透過率＞静止画像透過率＞動画像透過率      ・・・（式１）
【０１４５】
式１において、背景透過率、文字透過率、静止画像透過率および動画像透過率は、それぞれ、背景領域３０４の透過率、文字領域３０１Ｒの透過率、静止画像領域３０２Ｒの透過率および動画像領域３０３Ｒの透過率である。
【０１４６】
すなわち、前記透過率変更部５１０は、前記表示部１１Ｎが前記表示面１１４ａに、前記文字情報３０１と、画像としての静止画像（オブジェクト画像３０２）および動画像３０３とを表示する場合、静止画像領域３０２Ｒの透過率を、動画像領域３０３Ｒの透過率より大きくするとともに、前記文字領域３０１Ｒの透過率を前記静止画像領域３０２Ｒの透過率より大きくする。
【０１４７】
つまり、前記透過率変更部５１０は、前記文字領域３０１Ｒの透過率を、画像領域（静止画像領域３０２Ｒ、動画像領域３０３Ｒ）の透過率より大きくする。言い換えれば、前記透過率変更部５１０は、前記表示部１１Ｎが表示面１１４ａに少なくとも画像および文字情報を表示する場合、画像領域の透過率（例えば、静止画像領域３０２Ｒ）と、文字領域３０１Ｒの透過率とを異ならせる。
【０１４８】
また、前記透過率変更部５１０は、該透過率変更部５１０のうち、少なくとも前記画像領域（静止画像領域３０２Ｒ、動画像領域３０３Ｒ）および前記文字領域３０１Ｒ以外の領域である背景領域３０４の透過率を、前記文字領域３０１Ｒの透過率より大きくする。
【０１４９】
ここで、一例として、背景透過率、文字透過率、静止画像透過率および動画像透過率は、それぞれ、９０、６０、３０、１０であるとする。
【０１５０】
この場合、例えば、透過率制御部５０１は、前述の制御部を利用して、動画像領域３０３Ｒを構成する複数の画素部ＰＸ２０の透過率を１０にするための電圧を、当該複数の画素部ＰＸ２０に印加する。透過率制御部５０１は、背景領域３０４、文字領域３０１Ｒおよび静止画像領域３０２Ｒに対しても、動画像領域３０３Ｒに対する上記処理と同様な処理を行う。これにより、式１を満たすように、各領域の透過率が変更される。
【０１５１】
以上により、透過率変更処理Ｎは終了する。
【０１５２】
これにより、文字情報３０１、オブジェクト画像３０２、動画像３０３の順で、コントラストが高くなる。すなわち、動画像３０３のコントラストは、他の領域のコントラストよりも高くなる。
【０１５３】
なお、前述したように、間接光が、第２偏光板５１７（表示面１１４ｄ）側から、表示面１１４ａに向かって照射されている。そのため、表示面１１４ａをみるユーザ４０１は、静止画像としてのオブジェクト画像３０２よりも、動画像３０３を容易に認識することができる。また、表示面１１４ａをみるユーザ４０１は、文字情報３０１よりも、画像としてのオブジェクト画像３０２および動画像３０３を容易に認識することができる。
【０１５４】
したがって、本実施の形態によれば、表示面１１４ａをみるユーザ４０１は、画像と文字情報とを容易に識別することができる。つまり、本実施の形態によれば、表示面１１４ａに表示される表示内容の視認性の低下を抑制することができる。
【０１５５】
また、本実施の形態によれば、複数人のユーザが透明ディスプレイ装置１０１を挟んで対話する際に、情報共有を容易にすることが可能な透明ディスプレイ装置を提供することができる。
【０１５６】
表示処理Ｎの表示制御処理Ｎおよび透過率変更処理Ｎは、画像データ供給部２４が送信するデータの種類によって変化する。例えば、画像データ供給部２４が、オブジェクト画像３０２および画像座標Ａ、文字情報３０１および文字座標Ａを、信号処理部１３Ｎへ送信したとする。
【０１５７】
この場合、表示面１１４ａに、文字情報３０１およびオブジェクト画像３０２を表示するための表示制御処理Ｎと、当該表示制御処理Ｎに対応する透過率変更処理Ｎとが行わる。つまり、表示制御処理Ｎにより、表示面１１４ａには、文字情報３０１、オブジェクト画像３０２が表示される。
【０１５８】
また、この場合、透過率変更処理Ｎにおいて、透過率制御部５０１は、前記表示部１１Ｎが表示面１１４ａに少なくとも画像（オブジェクト画像３０２）および文字情報を表示する場合、前記画像領域および前記文字領域の位置を特定し、前記画像領域の透過率と前記文字領域の透過率とを異ならせるよう、前記透過率変更部５１０を制御する。また、前記透過率変更部５１０は、該透過率変更部５１０のうち、少なくとも前記画像領域および前記文字領域３０１Ｒ以外の領域である背景領域３０４の透過率を、前記文字領域３０１Ｒの透過率より大きくする。なお、透過率変更処理Ｎは、前述した処理と同様なので詳細な説明は繰り返さない。
【０１５９】
なお、透過率変更処理Ｎにおいて、文字情報３０１と、画像としてのオブジェクト画像３０２および動画像３０３の一方とが処理対象の場合、透過率制御部５０１は、特定した各領域の透過率が、以下の式２を満たすように、透過率変更部５１０を制御してもよい。
【０１６０】
背景透過率＞文字透過率＞画像透過率      ・・・（式２）
【０１６１】
式２において、画像透過率は、画像領域の透過率である。画像領域とは、静止画像領域３０２Ｒの透過率または動画像領域３０３Ｒの透過率である。なお、この場合の透過率変更処理Ｎは、前述した処理と同様なので詳細な説明は繰り返さない。
【０１６２】
なお、式２を満たす制御は、オブジェクト画像３０２および動画像３０３の両方が処理対象の場合に行われてもよい。この場合、式２の画像透過率は、静止画像領域３０２Ｒの透過率および動画像領域３０３Ｒの透過率である。この場合、静止画像領域３０２Ｒの透過率および動画像領域３０３Ｒの透過率は同じになるように制御される。
【０１６３】
なお、表示処理Ｎでは、文字が所定の方向に移動するテロップを処理対象としてもよい。この場合、テロップが示す文字の見易さを重視する場合、表示処理Ｎの透過率変更処理Ｎでは、透過率制御部５０１が、以下の式３を満たすように、透過率変更部５１０を制御してもよい。
【０１６４】
背景透過率＞文字透過率＞テロップ透過率＞静止画像透過率＞動画像透過率…（式３）
【０１６５】
式３において、テロップ透過率とは、動画像領域３０３Ｒと同様、透過率変更部５１０のうち、テロップに対応する領域である。式３を満たすように、透過率変更処理Ｎが行われることにより、テロップが示す文字の視認性を向上させることができる。
【０１６６】
また、テロップが示す文字の動きを重視する場合、表示処理Ｎの透過率変更処理Ｎでは、透過率制御部５０１が、以下の式４を満たすように、透過率変更部５１０を制御してもよい。
【０１６７】
背景透過率＞文字透過率＞静止画像透過率＞テロップ透過率＞動画像透過率…（式４）
【０１６８】
式４を満たすように、透過率変更処理Ｎが行われることにより、テロップが示す文字の動きの視認性を向上させることができる。
【０１６９】
また、テロップの注目度を重視する場合、表示処理Ｎの透過率変更処理Ｎでは、透過率制御部５０１が、以下の式５を満たすように、透過率変更部５１０を制御してもよい。
【０１７０】
背景透過率＞文字透過率＞静止画像透過率＞動画像透過率＞テロップ透過率…（式５）
【０１７１】
式５を満たすように、透過率変更処理Ｎが行われることにより、テロップの視認性を向上させることができる。すなわち、ユーザに、テロップを注目させることができる。
【０１７２】
なお、ユーザ同士が、指をさしてコミュニケーションを図る場合には、上記各領域の透過率の順序をユ−ザ−が任意に変えても良い。
【０１７３】
また、透過率変更部は、透過率が変化するものである必要はなく、透過率の異なるガラス板なども使用出来る。例えば、透過率変更部において、予め、文字領域、画像領域等の位置を決めておく。そして、文字領域、画像領域等の位置に、例えば、式１を満たすような複数種類の透過率のガラス板を使用する。
【０１７４】
（実施の形態１の変形例１）
なお、実施の形態１の透明ディスプレイ装置１０１は、透過率変更部５１０の代わりに以下の透過率変更部５２０を備えてもよい。
【０１７５】
図１０は、本発明の実施の形態１の変形例１に係る透過率変更部５２０の構成を示す図である。図１０には、説明のため画素部ＰＸ１０も示す。なお、図１０では、図５の透過率変更部５１０と同様、１つの画素部ＰＸ１０に対応する透過率変更部５２０の構成を示す。
【０１７６】
透過率変更部５２０は、電気泳動装置である。電気泳動装置は、非発光型表示デバイスであって、例えば、電気泳動現象を利用した電気泳動表示装置が知られている。ここで、電気泳動現象とは、溶媒中に帯電粒子を分散させた溶液に電界を印加したとき、分散により自然に帯電粒子がクーロン力で泳動する現象である。または、電気泳動現象は、カプセル型の粒子中に溶液を入れて電気衝撃を加えると粒子が移動し、電気的表示を現わす形態である。
【０１７７】
透過率変更部５２０は、第１透明基板５２１と、一対の第１透明電極５２２と、一対の第２透明電極５２３と、第２透明基板５２６とを含む。
【０１７８】
第１透明基板５２１は、ガラス基板Ｐ１１に接触するように設けられる。第１透明基板５２１および第２透明基板５２６は、所定の間隔だけ離隔して互いに対向するように設けられる。
【０１７９】
そして、第１透明基板５２１の下部には、第１透明電極５２２が形成される。また、第２透明基板５２６の上部には、第１透明電極５２２が形成される。すなわち、一対の第１透明電極５２２は、対向するように設けられる。
【０１８０】
また、第１透明基板５２１および第２透明基板５２６のうち、画素部ＰＸ１０に対応する部分の両端部には、一対の第２透明電極５２３が設けられる。この一対の第２透明電極５２３、第１透明基板５２１および第２透明基板５２６により囲まれた空間には、溶媒５２４が充填される。溶媒５２４は、光遮断層として機能する。
【０１８１】
溶媒５２４には、少なくとも一つの帯電粒子５２４ａが分散している。帯電粒子５２４ａは黒色を有する。帯電粒子５２４ａは、溶媒５２４の正極性または負極性の良好な帯電特性を示す材料で形成される。帯電特性を示す材料は、例えば、無機物顔料、有機顔料、カーボンブラック、またはこれらの材料を含有した樹脂を用いることができる。
【０１８２】
また、溶媒５２４は、帯電粒子５２４ａと反応しないように、絶縁性を有する材料から形成される。溶媒５２４は、例えばイソパラフィン、シリコンオイルおよびキシレン、トルエンなどの透明な非極性溶媒から形成される。
【０１８３】
上述した溶媒５２４および帯電粒子５２４ａには、帯電粒子５２４ａの帯電を制御し安定化させるための荷電制御剤を添加することもできる。荷電制御剤としては、例えばコハク酸イミド、モノアゾ染料の金属錯塩、サリチル酸、有機４級アンモニウム塩やニグロシン系化合物などがある。
【０１８４】
また、溶媒５２４には、帯電粒子５２４ａなどの凝集を防止し、分散状態を維持するための分散剤をさらに添加することもできる。このような分散剤としては、例えばリン酸カルシウム、リン酸マグネシウムなどのリン酸多価金属塩、炭酸カルシウムなどの炭酸塩、さらに無機塩、無機酸化物、あるいは有機高分子材料などがある。
【０１８５】
なお、溶媒５２４と帯電粒子５２４ａとの組み合わせに特に制限はないが、帯電粒子５２４ａの重力による沈降を避けるため、溶媒５２４と帯電粒子５２４ａとは、ほぼ同一割合に設定することが望ましい。
【０１８６】
また、透過率変更部５２０は、さらに、第１透明電極５２２または第２透明電極５２３に電圧を印加する制御部（図示せず）が備える。制御部に設けられたスイッチにより、第１透明電極５２２および第２透明電極５２３に選択的に電圧を印加することができる。
【０１８７】
透過率変更部５２０（電気泳動装置）の厚さは、約５０〜５００μｍの範囲の値である。
【０１８８】
一方、上述した溶媒５２４や帯電粒子５２４ａは、第１透明電極５２２と第２透明電極５２３に印加される電圧によって光を遮断したり透過させたりする光遮断層の役目をする。すなわち、透過率変更部５２０は、透過率変更部５１０と同様、各画素部ＰＸ１０に対応する第１透明電極５１３および第２透明電極５１５に印加される電圧の大きさに応じて、透過率変更部５２０のうち、当該画素部ＰＸ１０を覆う領域の透過率を変更する。
【０１８９】
（実施の形態１の変形例２）
また、実施の形態１の透明ディスプレイ装置１０１は、透過率変更部５１０の代わりに以下の透過率変更部５３０を備えてもよい。
【０１９０】
図１１は、本発明の実施の形態１の変形例２に係る透過率変更部５３０の構成を示す図である。図１１には、説明のため画素部ＰＸ１０も示す。なお、図１１では、図５の透過率変更部５１０と同様、１つの画素部ＰＸ１０に対応する透過率変更部５３０の構成を示す。
【０１９１】
透過率変更部５３０は、エレクトロクロミック装置である。一般に、電圧を印加すると可逆的に電解酸化または還元反応が起こり、可逆的に着色および脱色する現象をエレクトロクロミズムという。このような現象を利用したエレクトロクロミック装置は、光量制御素子、または、セグメントを利用した数字表示やエレクトロクロミックディスプレイなどの表示素子として使用されている。上記光量制御素子は、例えば、防眩ミラー（ａｎｔｉｇｌａｒｅｍｉｒｒｏｒ）や調光ガラス、ミラー類または有機発光ダイオードなどの輝度調整素子などである。
【０１９２】
エレクトロクロミック装置は、エレクトロクロミック装置を構成するエレクトロクロミック層の材料形態によって溶液型、完全固体型などに大きく分類することができる。
【０１９３】
透過率変更部５３０は、図１０の透過率変更部５２０と比較して、溶媒５２４の代わりに電解質５３４が使用される点が異なる。透過率変更部５３０のそれ以外の構成は、透過率変更部５２０と同様なので詳細な説明は繰り返さない。
【０１９４】
電解質５３４は、例えば、水系、非水系液体（電解液）、または、半固体（高分子電解質）等で構成される。以下においては、電解質５３４により形成される層を、エレクトロクロミック層という。
【０１９５】
エレクトロクロミック層の着色剤５３４ａとしては、ビオロゲン以外にも例えば芳香族アミン、酸化還元錯体、フタロシアニン、ヘテロ環形成化合物、フルオラン、スチリル、アントラキノン、フタル酸ジエステルなどが挙げられる。
【０１９６】
以下、簡単に透過率変更部５３０の動作を説明する。
【０１９７】
一対の第１透明電極５２２の間に所定の電圧を印加すると、エレクトロクロミック層で還元反応が起きてエレクトロクロミック層が透明から濃い黒色に変色し、ブラックマトリクスの役割を果たすようになる。これにより、透明ディスプレイ装置１０１は前面発光することができる。また、エレクトロクロミック層で酸化反応が起きる場合には濃い黒色から透明に変色し、両面発光することになる。
【０１９８】
なお、透過率変更部５３０は、透過率変更部５１０と同様、各画素部ＰＸ１０に対応する一対の第１透明電極５２２に印加される電圧の大きさに応じて、透過率変更部５３０のうち、当該画素部ＰＸ１０を覆う領域の透過率を変更する。
【０１９９】
（実施の形態２）
本実施の形態では、複数のパネルを用いた構成について説明する。
【０２００】
図１２は、本発明の実施の形態２に係る透明ディスプレイ装置１０１Ａの構成を示すブロック図である。なお、図１２では、説明のために画像データ供給部２４も示している。
【０２０１】
図１３は、本発明の実施の形態２に係る透明ディスプレイ装置１０１Ａの断面図である。
【０２０２】
図１２および図１３に示すように、透明ディスプレイ装置１０１Ａは、図２の透明ディスプレイ装置１０１と比較して、表示部１１Ｎの代わりに表示部１１ＮＡを備える点と、表示制御部１２の代わりに表示制御部１２Ｂを備える点とが異なる。透明ディスプレイ装置１０１Ａのそれ以外の構成は、透明ディスプレイ装置１０１と同様なので詳細な説明は繰り返さない。
【０２０３】
表示部１１ＮＡは、パネル１４ＮＡを有する。詳細は後述するが、パネル１４ＮＡは、パネル１４ａと、パネル１４ｂと、透過率変更部５１０とから構成される。パネル１４ａ，１４ｂの各々は、実施の形態１のパネル１４である。すなわち、パネル１４ａ，１４ｂの各々は、パネル１４と同じ構成を有する。
【０２０４】
パネル１４ＮＡの一方の面および他方の面には、画像、文字等を表示するための表示面１１４ａ，１１４ｃが形成される。
【０２０５】
図１４は、本発明の実施の形態２に係るパネル１４ＮＡの構成を示す図である。
【０２０６】
図１４に示すように、パネル１４ＮＡは、複数の画素部ＰＸ１２を含む。複数の画素部ＰＸ１２は、行列状に配置される。複数の画素部ＰＸ１２の各々は、外部から供給される信号に応じて発光する。パネル１４ＮＡに含まれる複数の画素部ＰＸ１２が構成する一方の平面および他方の平面が、それぞれ、表示面１１４ａおよび表示面１１４ｃである。１つの画素部ＰＸ１２は、１つの画素に対応する。したがって、表示面１１４ａおよび表示面１１４ｃの各々は、複数の画素から構成される。
【０２０７】
図１５は、画素部ＰＸ１２の構成の一例を示す上面図である。図１５に示すように、画素部ＰＸ１２は、サブ画素部Ｐ２．Ｒ，Ｐ２．Ｇ，Ｐ２．Ｂから構成される。サブ画素部Ｐ２．Ｒ，Ｐ２．Ｇ，Ｐ２．Ｂは、それぞれ、赤、緑および青色の光を発する画素部である。以下においては、サブ画素部Ｐ２．Ｒ，Ｐ２．Ｇ，Ｐ２．Ｂの各々を、単に、サブ画素部Ｐ２とも表記する。
【０２０８】
図１６は、サブ画素部Ｐ２の断面図である。
【０２０９】
図１６に示されるように、サブ画素部Ｐ２は、図１１のサブ画素部ＰＸ（例えば、サブ画素部ＰＸＲ）を２つ用いて構成される。具体的には、サブ画素部Ｐ２は、２つのサブ画素部ＰＸにそれぞれ対応する２つのガラス基板Ｐ１１により、透過率変更部５１０を挟む構造を有する。すなわち、パネル１４ＮＡは、パネル１４ａのガラス基板Ｐ１１と、パネル１４ｂのガラス基板Ｐ１１とにより、透過率変更部５１０を挟むことにより構成される。つまり、前記透過率変更部５１０は、パネル１４ａおよびパネル１４ｂの間に設けられる。
【０２１０】
すなわち、パネル１４ＮＡは、図１（ｂ）のパネル１４（例えば、パネル１４ａ）のうち、多くの光量を発する面が、表示面１１４ａまたは表示面１１４ｃとなるように、パネル１４ａ，１４ｂが設けられたパネルである。
【０２１１】
この構成により、表示面１１４ａおよび表示面１１４ｃに表示される画像、文字等の視認性を向上させることができる。すなわち、実施の形態２に係る透明ディスプレイ装置１０１Ａでは、２つのパネルを用いることにより、高い輝度と解像度を維持することが可能となり、画質の向上や視認性の向上という効果を得ることができる。
【０２１２】
以上の構成により、前記表示部１１ＮＡは、表示面１１４ａおよび表示面１１４ｃがそれぞれ設けられたパネル１４ａおよびパネル１４ｂを有する。また、表示面１１４ａの裏面と表示面１１４ｃの裏面とが対向するように、表示面１１４ａおよび表示面１１４ｃは配置される。つまり、表示面１１４ａおよび表示面１１４ｃは、特定方向としてのＹ軸方向に沿って並ぶ。
【０２１３】
表示面１１４ｃは、可視光に対して透明な表示面である。すなわち、表示面１１４ｃは、透光性を有する。すなわち、表示部１１ＮＡは、表示面１１４ａおよび表示面１１４ｃが並ぶＹ軸方向に対し透光性を有する。
【０２１４】
なお、表示部１１ＮＡは、３つ以上のパネルで構成されてもよい。
【０２１５】
表示制御部１２Ｂは、第１パネル制御回路２０および第２パネル制御回路２１を有する。第１パネル制御回路２０は、パネル１４ａの表示を制御する。第２パネル制御回路２１は、パネル１４ｂの表示を制御する。
【０２１６】
信号処理部１３Ｎは、パネル１４ａ，１４ｂに表示するための画像および文字情報等を、表示制御部１２Ｂへ送信する。
【０２１７】
次に、図１２および図１７を用いて、透明ディスプレイ装置１０１Ａが行う処理について説明する。
【０２１８】
図１７は、本発明の実施の形態２に係る透明ディスプレイ装置１０１Ａが行う処理のフローチャートである。
【０２１９】
ここで、一例として、画像データ供給部２４は、オブジェクト画像３０２および当該画像座標Ａを、信号処理部１３Ｎへ送信するとする。また、画像データ供給部２４は、文字情報３０１および文字座標Ａを、信号処理部１３Ｎへ送信するとする。また、画像データ供給部２４は、動画像３０３および動画像座標Ａを、信号処理部１３Ｎへ送信するとする。
【０２２０】
この場合、ステップＳ１００ＮＡの表示処理ＮＡでは、信号処理部１３Ｎが、受信したオブジェクト画像３０２、画像座標Ａ、文字情報３０１、文字座標Ａ、動画像３０３および動画像座標Ａを、第１パネル制御回路２０、第２パネル制御回路２１および透過率制御部５０１へ送信する。
【０２２１】
そして、表示制御処理ＮＡと、表示制御処理ＮＢと、透過率変更処理Ｎとが独立して並列に実行される。
【０２２２】
表示制御処理ＮＡは、実施の形態１の表示制御処理Ｎの説明において、第１パネル制御回路１５を、第１パネル制御回路２０と置き換えた処理と同様なので詳細な説明は繰り返さない。
【０２２３】
また、表示制御処理ＮＢは、実施の形態１の表示制御処理Ｎの説明において、第１パネル制御回路１５を、第２パネル制御回路２１と置き換えた処理と同様なので詳細な説明は繰り返さない。
【０２２４】
透過率変更処理Ｎは、実施の形態１と同様な処理であるので詳細な説明は繰り返さない。
【０２２５】
以上の表示処理ＮＡが行われることにより、表示面１１４ａおよび表示面１１４ｃの各々において、実施の形態１と同様な効果を得ることができる。つまり、本実施の形態によれば、表示面１１４ａおよび表示面１１４ｃの各々に表示される表示内容の視認性の低下を抑制することができる。
【０２２６】
具体的には、例えば、ユーザが、静止画像としてのオブジェクト画像３０２より、動画像３０３を容易に認識することができる。また、ユーザが、画像と文字情報とを容易に識別することができる。
【０２２７】
ここで、ユーザＡおよびユーザＢが、透明ディスプレイ装置１０１Ａを挟んで向き合っているとする。ユーザＡおよびユーザＢは、それぞれ、表示面１１４ａおよび表示面１１４ｃを見ているとする。
【０２２８】
この場合、２人のユーザが、透明ディスプレイ装置を挟んで対話する際に、表示面に表示される画像等の視認性を向上させつつ、情報共有を容易にすることが可能な透明ディスプレイ装置を提供することができる。
【０２２９】
（比較例の他の課題について）
次に、図９の透明ディスプレイ装置９００の他の課題について述べる。
【０２３０】
図１８は、比較例に係る透明ディスプレイ装置９００の動作に従ったパネル９１４の表示例を示す図である。図１８（ａ）は、表示面９１４ａの表示例を示す。図１８（ｂ）は、表示面９１４ｂの表示例を示す。
【０２３１】
図１８（ａ）に示すように、この透明ディスプレイ装置９００は、互いに向き合っているユーザ４０１とユーザ４０２との間に、当該透明ディスプレイ装置９００を配置して使用される。この場合、ユーザ４０１およびユーザ４０２は、それぞれ、表示面９１４ａおよび表示面９１４ｂに表示される情報を共有しながら、コミュニケーションすることが可能である。
【０２３２】
表示面９１４ａ側にいるユーザ４０１は、表示面９１４ａに表示されるオブジェクト画像３０２を、正しい向きで見る。オブジェクト画像３０２は、例えば、猫を示す画像である。
【０２３３】
本明細書において、表示対象物の左右方向（水平方向）において左右が反転していない当該表示対象物の正しい像を、左右正像ともいう。例えば、「表示対象物を左右正像で表示する」とは、「表示対象物を正しい像（向き）で表示する」ということである。例えば、図１８（ａ）において、オブジェクト画像３０２は、左右正像で表示される。
【０２３４】
一方、表示面９１４ｂ側にいるユーザ４０２には、表示面９１４ｂにおいて、左右方向（水平方向）において左右反転したオブジェクト画像３０２が見える。
【０２３５】
本明細書において、表示対象物の左右方向（水平方向）において左右が反転した当該表示対象物の像を、左右逆像ともいう。例えば、「表示対象物を左右逆像で表示する」とは、「表示対象物を左右反転した像（向き）で表示する」ということである。例えば、図１８（ｂ）において、オブジェクト画像３０２は、左右逆像で表示される。
【０２３６】
ここで、Ｙ軸方向において互いに同じ位置の領域である、表示面９１４ａ内の領域および表示面９１４ｂ内の領域を、それぞれ、第１領域および第２領域ともいう。
【０２３７】
例えば、図１８（ｂ）において、第２領域に表示されるオブジェクト画像３０２は、第１領域に表示されるオブジェクト画像３０２を、左右反転したオブジェクト画像である。すなわち、第１領域に表示されるオブジェクト画像３０２は左右正像で表示され、第２領域に表示されるオブジェクト画像３０２は左右逆像で表示される。
【０２３８】
同じく文字列「ＣＡＴ」を示す文字情報３０１も、表示面９１４ａでは左右正像で表示され、表示面９１４ｂでは左右逆像で表示される。すなわち、図１８（ｂ）において、第２領域に表示される文字情報３０１は、第１領域に表示される文字情報３０１を、左右反転した文字情報である。すなわち、第１領域に表示される文字情報３０１と、第２領域に表示される文字情報３０１とは、互いに左右が逆である。
【０２３９】
オブジェクト画像３０２については、ユーザ４０１とユーザ４０２とが指を差し合って情報を共有するので、ユーザ４０２が左右逆像のオブジェクト画像３０２を見ても問題はない。
【０２４０】
しかしながら、図１８（ｂ）のように、文字列「ＣＡＴ」を示す文字情報３０１については、ユーザ４０２には文字列「ＣＡＴ」を左右反転した文字列が見える。そのため、ユーザ４０２は、文字情報３０１を、ユーザ４０１が認識している「ＣＡＴ」と違う意味で認識してしまう。
【０２４１】
このように、文字情報は、透明ディスプレイ装置９００の表示面９１４ａでは左右逆像で表示され、表示面９１４ｂでは左右逆像で表示されるので、ユーザ４０１およびユーザ４０２のお互いが情報共有する点で課題が生じる。以下の実施の形態では、このような課題も解決する。
【０２４２】
（実施の形態３）
図１９は、本発明の実施の形態３に係る透明ディスプレイ装置１０２の構成を示すブロック図である。なお、図１９では、説明のために画像データ供給部２４も示している。
【０２４３】
図１９に示すように、透明ディスプレイ装置１０２は、図１の透明ディスプレイ装置１０１と比較して、信号処理部１３Ｎの代わりに信号処理部１３を備える点が異なる。透明ディスプレイ装置１０２のそれ以外の構成は、透明ディスプレイ装置１０１と同様なので詳細な説明は繰り返さない。
【０２４４】
信号処理部１３は、画像表示方向制御部１６と文字情報表示方向制御部１７とを有する。
【０２４５】
画像データ供給部２４の画像選択回路３０は、前述した放送受信画像、外部入力画像および内部記憶画像のいずれかを選択し、選択した画像および当該画像に対応する文字情報を、それぞれ、画像表示方向制御部１６および文字情報表示方向制御部１７へ送信する。
【０２４６】
なお、画像選択回路３０は、画像とともに、当該画像の座標も、画像表示方向制御部１６へ送信する。また、画像選択回路３０は、文字情報とともに、当該文字情報の座標も、文字情報表示方向制御部１７へ送信する。
【０２４７】
本実施の形態では、要約すると、比較例で述べた課題を解決するために以下の処理を行う。ここで、２人のユーザが、パネル１４の両側から当該パネル１４を見る（観察する）とする。この場合、パネル１４の表示面１１４ａ，１１４ｄのうちＹ軸方向において同じ位置に画像および文字情報を表示する際、画像は表示面１１４ａ，１１４ｄの一方で左右逆像で表示し、文字情報は表示面１１４ａ，１１４ｄの両方で左右正像で表示させる。これにより、２人のユーザが透明ディスプレイ装置１０２（パネル１４の表示面１１４ａ，１１４ｄ）を挟んで対話する際に、情報共有が容易となる。
【０２４８】
次に、図２０および図２１を用いて、透明ディスプレイ装置１０２の具体的な使用形態を説明する。
【０２４９】
図２０は、本発明の実施の形態３に係る透明ディスプレイ装置１０２が行う処理のフローチャートである。
【０２５０】
図２１は、本発明の実施の形態３に係る透明ディスプレイ装置１０２の動作に従ったパネル１４の表示例を示す図である。図２１（ａ）は、表示面１１４ａの表示例を示す。図２１（ｂ）は、表示面１１４ｄの表示例を示す。
【０２５１】
ここで、一例として、画像データ供給部２４は、オブジェクト画像３０２および画像座標Ａを、画像表示方向制御部１６へ送信するとする。
【０２５２】
また、画像データ供給部２４は、文字情報３０１および文字座標Ａを、文字情報表示方向制御部１７へ送信するとする。
【０２５３】
また、ユーザ４０１およびユーザ４０２は、透明ディスプレイ装置１０２を挟んで向き合っているとする。また、ユーザ４０１およびユーザ４０２は、それぞれ、表示面１１４ａおよび表示面１１４ｄを見ているとする。
【０２５４】
この場合、ステップＳ１００Ｍの表示処理Ｍでは、画像表示方向制御部１６は、画像データ供給部２４から送信されるオブジェクト画像３０２および画像座標Ａを受信し、当該オブジェクト画像３０２および画像座標Ａを、第１パネル制御回路１５および透過率制御部５０１へ送信する。
【０２５５】
そして、表示制御処理Ｎ１と、透過率変更処理Ｎと、時分割表示処理とが独立して並列に実行される。
【０２５６】
表示制御処理Ｎ１では、オブジェクト画像３０２に対して、実施の形態１の表示制御処理Ｎと同様な処理が行われるので詳細な説明は繰り返さない。この処理により、表示面１１４ａにオブジェクト画像３０２が表示される。なお、表示制御処理Ｎ１では、文字情報３０１に対する処理は行われない。
【０２５７】
また、表示面１１４ａ，１１４ｂ，１１４ｄは透明であるため、表示面１１４ａにオブジェクト画像３０２が表示された場合、表示面１１４ｄにもオブジェクト画像３０２が表示される。
【０２５８】
すなわち、パネル１４を含む前記表示部１１Ｎは、前記特定方向（Ｙ軸方向）において互いに一致する、表示面１１４ａ内の位置および表示面１１４ｄ内の位置に画像（オブジェクト画像３０２）を表示する。
【０２５９】
これにより、図２１（ａ）に示すように、表示面１１４ａには、オブジェクト画像３０２が左右正像で表示される。そのため、表示面１１４ａをみるユーザ４０１は、オブジェクト画像３０２を、正しい向きで見る。すなわち、ユーザ４０１は、オブジェクト画像３０２を、左右正像でみる。
【０２６０】
一方、図２１（ｂ）に示すように、表示面１１４ｄには、オブジェクト画像３０２が左右逆像で表示される。そのため、表示面１１４ｄをみるユーザ４０２は、左右反転したオブジェクト画像３０２を見る。すなわち、ユーザ４０２は、オブジェクト画像３０２を、左右逆像でみる。
【０２６１】
上記のように、パネル１４を含む前記表示部１１Ｎは、画像を表示する場合、表示面１１４ａでは前記画像を左右正像で表示し、表示面１１４ｂでは前記画像を左右逆像で表示する。
【０２６２】
また、文字情報表示方向制御部１７は、表示面１１４ａおよび表示面１１４ｄに表示するための文字情報の向きを制御する。具体的には、文字情報表示方向制御部１７は、第１パネル制御回路１５等を利用して、前記表示部１１Ｎに、表示面１１４ａおよび表示面１１４ｄの各々において同一の文字情報を左右正像で表示させる。
【０２６３】
さらに、具体的には、ステップＳ１００Ｍの表示処理Ｍにおいて、文字情報表示方向制御部１７は、画像データ供給部２４から送信される文字情報３０１および文字座標Ａを用いて、時分割表示処理を行う。
【０２６４】
具体的には、前記文字情報表示方向制御部１７は、第１パネル制御回路１５等を利用して、前記表示部１１Ｎに、前記特定方向（Ｙ軸方向）において一致する、表示面１１４ａ内の領域および表示面１１４ｄ内の領域において所定期間毎に同一の文字情報を左右正像で表示させるための時分割表示処理を行う。
【０２６５】
さらに、具体的には、時分割表示処理では、まず、文字情報表示方向制御部１７が、文字情報３０１を左右反転させた文字情報（以下、左右反転文字情報ともいう）を生成する。そして、文字情報表示方向制御部１７は、文字情報３０１、左右反転文字情報および時分割表示指示を、第１パネル制御回路１５へ送信する。
【０２６６】
ここで、時分割表示指示は、所定期間毎に、表示面１１４ａ内の文字座標Ａの位置に、文字情報３０１と左右反転文字情報とを交互に表示させるための指示である。上記所定期間は、例えば、１秒である。
【０２６７】
第１パネル制御回路１５は、時分割表示指示に従って、所定期間毎に、表示面１１４ａ内の文字座標Ａの位置に、文字情報３０１と左右反転文字情報とを交互に表示させるよう、ドライブ回路を用いてパネル１４を制御する。なお、ドライブ回路を用いたパネル１４の制御は、周知な制御であるので詳細な説明は行わない。
【０２６８】
これにより、表示面１１４ａには、所定期間毎に、文字情報３０１と左右反転文字情報とが交互に表示される。また、表示面１１４ａ，１１４ｂ，１１４ｄは透明であるため、表示面１１４ｄには、所定期間毎に、左右反転文字情報と文字情報３０１とが交互に表示される。
【０２６９】
この場合、パネル１４を含む前記表示部１１Ｎは、特定方向（Ｙ軸方向）において互いに一致する、表示面１１４ａ内の位置および表示面１１４ｄの位置に、同一の文字情報を表示する。また、前記表示部１１Ｎは、表示面１１４ａおよび表示面１１４ｄの各々において同一の文字情報を異なるタイミングで左右正像で表示する。
【０２７０】
なお、表示面１１４ａに文字情報３０１が表示されているときには、表示面１１４ｂには、文字情報３０１を左右反転させた左右反転文字情報が表示される。また、表示面１１４ａに左右反転文字情報が表示されているときには、表示面１１４ｄには、文字情報３０１が表示される。
【０２７１】
以下においては、表示面１１４ａに文字情報３０１が左右正像で表示される期間を第１所定期間という。また、以下においては、表示面１１４ｄに文字情報３０１が左右正像で表示される期間を第２所定期間という。
【０２７２】
上記処理により、図２１（ａ）に示すように、第１所定期間においては、表示面１１４ａには、文字情報３０１が左右正像で表示される。そのため、表示面１１４ａをみるユーザ４０１は、第１所定期間においては、文字情報３０１を正しい向きで見る。すなわち、ユーザ４０１は、第１所定期間においては、文字情報３０１を左右正像でみる。
【０２７３】
一方、図２１（ｂ）に示すように、第２所定期間においては、表示面１１４ｄには、文字情報３０１が左右正像で表示される。そのため、表示面１１４ｄをみるユーザ４０２は、第２所定期間においては、文字情報３０１を正しい向きで見る。すなわち、ユーザ４０１は、第２所定期間においては、文字情報３０１を左右正像でみる。
【０２７４】
なお、透過率変更処理Ｎは、実施の形態１と同様な処理が行なわれるので詳細な説明は繰り返さない。この処理により、領域の種類に応じて、各領域に対応する画像、文字等のコントラストを変化させることができる。
【０２７５】
以上説明したように、本実施の形態によれば、パネル１４のＹ軸方向の同じ位置において、画像は表示面１１４ｂで左右逆像で表示され、文字情報は表示面１１４ａ，１１４ｄの各々において異なるタイミングで左右正像で表示される。これにより、文字の視認性を向上させることができる。
【０２７６】
また、互いに向き合っているユーザ４０１およびユーザ４０２の間に透明ディスプレイ装置１０２を配置することにより、ユーザ４０１およびユーザ４０２は、相手の指差しまたは表情等を確認しながら、会話（対話）が可能となる。また、文字視認性の向上と、画像における互いの指差しの位置が一致することにより、お互いの情報共有が容易となる。したがって、複数人のユーザが透明ディスプレイ装置を挟んで対話する際に、情報共有を容易にすることができる。
【０２７７】
また、本実施の形態では、さらに、実施の形態１と同様に透過率変更処理Ｎが行われることにより、領域の種類に応じて、各領域に対応する画像、文字等のコントラストを変化させることができる。これにより、実施の形態１と同様な効果が得られる。例えば、静止画像としてのオブジェクト画像３０２よりも、動画像３０３の視認性を向上させることができる。また、本実施の形態の構成に係る透過率変更処理Ｎにおいて、さらに動画像３０３も処理される場合、文字情報３０１よりも、画像としてのオブジェクト画像３０２および動画像３０３の視認性を向上させることができる。
【０２７８】
なお、パネル１４の表示面１１４ａ，１１４ｄの一方または両方にタッチパネルを備える構成としてもよい。この構成において、タッチ操作により、ユーザ自身で、画像および文字情報の左右正像と左右逆像とを切り替えるようにしてもよい。また、画像および文字情報の移動、回転、拡大、縮小、コピー、消去などの編集操作も可能となる。
【０２７９】
尚、切り替え操作や、編集操作は、タッチパネルに限られず、パネルの端部に設けたスイッチなどの何らかのセンサ−を利用して行ってもよい。
【０２８０】
なお、図１９に示される、本実施の形態の透明ディスプレイ装置１０２の構成は、一例であり、これに限定されない。例えば、表示制御部１２は、表示部１１Ｎに含まれてもよい。この構成の場合、例えば、文字情報表示方向制御部１７は、表示部１１Ｎ内の第１パネル制御回路１５に対し制御を行うことになる。すなわち、この場合、文字情報表示方向制御部１７は、表示部１１Ｎに対し制御を行う。
【０２８１】
（実施の形態３の変形例）
次に、実施の形態３の変形例における処理について図２２を用いて説明する。
【０２８２】
図２２は、一例としての文字情報の配置構成を示す図である。
【０２８３】
透明ディスプレイ装置１０２は、図２２（ａ）のように、２つの画素を１つの画素として文字情報を表示するように制御してもよい。この場合、第１パネル制御回路１５は、図２２（ａ）において、Ａ１を示す画素には、左右正像の文字情報を表示し、Ａ２を示す画素には、左右逆像の文字情報を表示するようパネル１４を制御する。
【０２８４】
この場合、表示される文字情報の垂直方向の解像度は低下するものの、実施の形態３のように、文字情報が明確に左右逆像で表示されることを防ぐことができる。
【０２８５】
また、透明ディスプレイ装置１０２は、図２２（ｂ）のように、４つの画素を１つの画素として文字情報を表示するように制御してもよい。この場合、第１パネル制御回路１５は、図２２（ｂ）において、Ａ１を示す画素には、左右正像の文字情報を表示し、Ａ２を示す画素には、左右逆像の文字情報を表示するようパネル１４を制御する。
【０２８６】
この場合、表示される文字情報の水平方向および垂直方向の解像度は低下するものの、実施の形態１のように、文字情報が明確に左右逆像で表示されることを防ぐことができる。なお、高精細のパネルを用いれば、人間の目には、表示面に表示される文字情報の一部に、左右逆像の部分が含まれていることは認識しにくくなる。
【０２８７】
以上のような処理が行われることにより、本実施の形態の変形例では、実施の形態３より、文字情報の視認性を向上させることができる。
【０２８８】
（実施の形態４）
図２３は、本発明の実施の形態４に係る透明ディスプレイ装置１０２Ａの断面図である。
【０２８９】
図２３に示すように、透明ディスプレイ装置１０２Ａは、図１９の透明ディスプレイ装置１０２と比較して、表示部１１Ｎの代わりに表示部１１ＴＡを備える点が異なる。透明ディスプレイ装置１０２Ａのそれ以外の構成は、透明ディスプレイ装置１０２と同様なので詳細な説明は繰り返さない。
【０２９０】
表示部１１ＴＡは、パネル１４ＴＡを有する。パネル１４ＴＡは、図１（ｂ）のパネル１４と、透過率変更部５１０と、液晶シャッタパネルＳＨ１，ＳＨ２とを含む。液晶シャッタパネルＳＨ１は、表示面１１４ａを覆うように設けられる。液晶シャッタパネルＳＨ１のうち、表示面１１４ａと対向する面の反対側には、表示面１１５ａが形成される。
【０２９１】
液晶シャッタパネルＳＨ１は、第１パネル制御回路１５の制御により、表示面１１４ａを構成する複数の画素の各々に対応する発光層Ｐ１４が発する光を遮断するか否かを制御することができる。
【０２９２】
液晶シャッタパネルＳＨ２は、表示面１１４ｄを覆うように設けられる。液晶シャッタパネルＳＨ２のうち、表示面１１４ｄと対向する面の反対側には、表示面１１５ｂが形成される。液晶シャッタパネルＳＨ２は、第１パネル制御回路１５の制御により、表示面１１４ｄを構成する複数の画素ＰＸ２０の各々に対応する発光層Ｐ１４からの光を遮断するか否かを制御することができる。
【０２９３】
図２４は、液晶シャッタパネルの駆動方法を説明するための図である。
【０２９４】
図２４（ａ）は、１つの画素に対応する、液晶シャッタパネルＳＨ１，ＳＨ２およびパネル１４および透過率変更部５１０の断面図である。図２４（ｂ）は、図２４（ａ）に示される液晶シャッタパネルＳＨ２が動作した状態を示す。図２４（ｃ）は、図２４（ａ）に示される液晶シャッタパネルＳＨ１が動作した状態を示す。
【０２９５】
ここで、パネル１４および液晶シャッタパネルＳＨ１，ＳＨ２は、一例として、１２０Ｈｚの周波数で駆動するとする。すなわち、パネル１４および液晶シャッタパネルＳＨ１，ＳＨ２は、１秒間に１２０フレームを表示する。
【０２９６】
また、一例として、画像データ供給部２４は、オブジェクト画像３０２および画像座標Ａを、画像表示方向制御部１６へ送信するとする。また、画像データ供給部２４は、文字情報３０１および文字座標Ａを、文字情報表示方向制御部１７へ送信するとする。
【０２９７】
また、ユーザ４０１およびユーザ４０２は、透明ディスプレイ装置１０２Ａを挟んで向き合っているとする。ユーザ４０１およびユーザ４０２は、それぞれ、表示面１１５ａおよび表示面１１５ｂを見ているとする。
【０２９８】
この場合、実施の形態１と同様に画像表示方向制御部１６は処理を行う。そして、第１パネル制御回路１５が、パネル１４の表示面１１４ａ内の画像座標Ａの位置に、オブジェクト画像３０２を表示するよう、パネル１４を制御する。これにより、表示面１１４ａにオブジェクト画像３０２が表示される。
【０２９９】
第１パネル制御回路１５は、表示面１１４ａにオブジェクト画像３０２が表示されている期間、オブジェクト画像３０２を構成する各画素に対応する、液晶シャッタパネルＳＨ１，ＳＨ２の一部が、発光層Ｐ１４からの光を透過するように、該液晶シャッタパネルＳＨ１，ＳＨ２を制御する（図２４（ａ）参照）。
【０３００】
これにより、実施の形態１と同様、表示面１１５ａにオブジェクト画像３０２が表示されるとともに、表示面１１５ｂには、左右反転したオブジェクト画像３０２が表示される。
【０３０１】
一方、文字情報表示方向制御部１７は、画像データ供給部２４から送信される文字情報３０１および文字座標Ａを用いて、時分割表示処理Ａを行う。
【０３０２】
ここで、図２４（ｄ）の信号ＳＧ１のＨレベルの部分は、左右正像の文字情報３０１を示すとする。また、図２４（ｄ）の信号ＳＧ２のＨレベルの部分は、左右正像の文字情報３０１を示すとする。
【０３０３】
時分割表示処理Ａでは、文字情報表示方向制御部１７は、文字情報３０１および時分割表示指示Ａを、第１パネル制御回路１５へ送信する。具体的には、文字情報表示方向制御部１７は、信号ＳＧ１、信号ＳＧ２および時分割表示指示Ａを、第１パネル制御回路１５へ送信する。
【０３０４】
ここで、時分割表示指示Ａは、信号ＳＧ１または信号ＳＧ２がＨレベルである期間において、表示面１１４ａ内の文字座標Ａの位置に、Ｈレベルの信号（信号ＳＧ１または信号ＳＧ２）が示す文字情報３０１を表示させるための指示である。
【０３０５】
第１パネル制御回路１５は、時分割表示指示Ａに従って、表示面１１４ａ内の文字座標Ａの位置に、Ｈレベルの信号（信号ＳＧ１または信号ＳＧ２）が示す文字情報３０１を表示させるよう、ドライブ回路を用いてパネル１４を制御する。
【０３０６】
この処理により、図２４（ｄ）の時刻ｔ１から時刻ｔ２までの期間Ｔ１１では、Ｈレベルの信号ＳＧ１が示す文字情報３０１が、表示面１１４ａに表示される。図２４（ｄ）の時刻ｔ２から時刻ｔ３まので期間Ｔ１２では、Ｈレベルの信号ＳＧ２が示す文字情報３０１が、表示面１１４ａに表示される。期間Ｔ１１，Ｔ１２は、例えば、１／１２０秒である。
【０３０７】
また、第１パネル制御回路１５は、上記のパネル１４の制御と並行して、期間Ｔ１１において、図２４（ｂ）のように、文字情報３０１を構成する各画素に対応する、液晶シャッタパネルＳＨ２の一部が、発光層Ｐ１４からの光を遮断するように、該液晶シャッタパネルＳＨ２を制御する。これにより、期間Ｔ１１において、表示面１１５ｂに、左右逆像の文字情報３０１が表示されることを防ぐことができる。これにより、表示面１１５ａをみるユーザ４０１は、文字情報３０１を左右正像でみる。
【０３０８】
また、第１パネル制御回路１５は、上記のパネル１４の制御と並行して、期間Ｔ１２において、図２４（ｃ）のように、文字情報３０１を構成する各画素に対応する、液晶シャッタパネルＳＨ１の一部が、発光層Ｐ１４からの光を遮断するように、該液晶シャッタパネルＳＨ１を制御する。これにより、期間Ｔ１２において、表示面１１５ａに、左右逆像の文字情報３０１が表示されることを防ぐことができる。これにより、表示面１１５ｂをみるユーザ４０２は、文字情報３０１を左右正像でみる。
【０３０９】
以上説明したように、本実施の形態によれば、表示面１１５ａ，１１５ｂに、文字情報を左右正像で表示するとともに、表示面１１５ａ，１１５ｂに、左右逆像の文字情報が表示されることを防ぐ。これにより、本実施の形態では、実施の形態３よりも、文字情報の視認性を向上させることができる。
【０３１０】
（実施の形態５）
本実施の形態では、複数のパネルを用いた構成について説明する。
【０３１１】
図２５は、本発明の実施の形態５に係る透明ディスプレイ装置１０２Ｂの構成を示すブロック図である。なお、図２５では、説明のために画像データ供給部２４も示している。
【０３１２】
図２５に示される透明ディスプレイ装置１０２Ｂは、図１２の透明ディスプレイ装置１０１Ａと比較して、信号処理部１３Ｎの代わりに信号処理部１３を備える点が異なる。透明ディスプレイ装置１０２Ｂのそれ以外の構成は、透明ディスプレイ装置１０１Ａと同様なので詳細な説明は繰り返さない。
【０３１３】
信号処理部１３は、図１９を用いて説明したので詳細な説明は繰り返さない。
【０３１４】
なお、表示部１１ＮＡの構成は、実施の形態２で説明したので、詳細な説明は繰り返さない。
【０３１５】
次に、図２６および図２７を用いて、透明ディスプレイ装置１０２Ｂが行う処理について説明する。
【０３１６】
図２６は、本発明の実施の形態５に係る透明ディスプレイ装置１０２Ｂが行う処理のフローチャートである。
【０３１７】
図２７は、本発明の実施の形態５に係る透明ディスプレイ装置１０２Ｂの動作に従ったパネル１４ＮＡの表示例を示す図である。図２７（ａ）は、表示面１１４ａの表示例を示す。図２７（ｂ）は、表示面１１４ｃの表示例を示す。
【０３１８】
ここで、一例として、画像データ供給部２４は、オブジェクト画像３０２および画像座標Ａを、画像表示方向制御部１６へ送信するとする。また、画像データ供給部２４は、文字情報３０１および文字座標Ａを、文字情報表示方向制御部１７へ送信するとする。
【０３１９】
また、ユーザ４０１およびユーザ４０２は、透明ディスプレイ装置１０２Ｂを挟んで向き合っているとする。ユーザ４０１およびユーザ４０２は、それぞれ、表示面１１４ａおよび表示面１１４ｃを見ているとする。
【０３２０】
この場合、ステップＳ１００ＭＡの表示処理ＭＡでは、画像表示方向制御部１６は、オブジェクト画像３０２および画像座標Ａを受信する。
【０３２１】
そして、画像表示方向制御部１６は、受信したオブジェクト画像３０２を左右反転させた画像（以下、左右反転画像ともいう）を生成する。
【０３２２】
そして、画像表示方向制御部１６は、オブジェクト画像３０２および画像座標Ａを、第１パネル制御回路２０および透過率制御部５０１へ送信するとともに、画像表示方向制御部１６は、左右反転画像および画像座標Ａを、第２パネル制御回路２１へ送信する。
【０３２３】
なお、第１パネル制御回路２０がオブジェクト画像３０２等を受信するタイミングは、第２パネル制御回路２１が左右反転画像等を受信するタイミングと同じである。
【０３２４】
そして、表示制御処理ＮＡと、透過率変更処理Ｎとが独立して並列に実行される。
【０３２５】
表示制御処理ＮＡでは、第１パネル制御回路２０は、パネル１４ａの表示面１１４ａ内の画像座標Ａの位置に、オブジェクト画像３０２を表示するよう、ドライブ回路を用いてパネル１４ａを制御する。これにより、表示面１１４ａにオブジェクト画像３０２が表示される。
【０３２６】
第２パネル制御回路２１は、パネル１４ｂの表示面１１４ｃにおいて、画像座標Ａを水平方向に反転した座標の位置に、左右反転画像を表示するよう、ドライブ回路を用いてパネル１４ｂを制御する。ここで、表示面１１４ｃにおける、画像座標Ａを水平方向に反転した座標の位置と、表示面１１４ａにおける受信した座標の位置とは、特定方向（Ｙ軸方向）において一致する。
【０３２７】
これにより、表示面１１４ｃに、オブジェクト画像３０２を左右反転した左右反転画像が表示される。
【０３２８】
上記処理により、図２７（ａ）に示すように、表示面１１４ａには、実施の形態３と同様、オブジェクト画像３０２が左右正像で表示される。一方、図２７（ｂ）に示すように、表示面１１４ｃには、実施の形態３と同様、オブジェクト画像３０２が左右逆像で表示される。
【０３２９】
なお、第１パネル制御回路２０がパネル１４ａを制御するタイミングは、第２パネル制御回路２１がパネル１４ｂを制御するタイミングと同じである。すなわち、第１パネル制御回路２０および第２パネル制御回路２１は、同期して、それぞれ、パネル１４ａおよびパネル１４ｂを駆動する。
【０３３０】
上記のように、パネル１４ａ，１４ｂを含む前記表示部１１ＮＡは画像を表示する場合、表示面１１４ａでは前記画像を左右正像で表示し、表示面１１４ｃでは前記画像を左右逆像で表示する。
【０３３１】
すなわち、特定方向（Ｙ軸方向）において互いに一致する、表示面１１４ａ内の位置および表示面１１４ｃの位置に、それぞれ、オブジェクト画像３０２および左右反転画像が同一タイミングで表示される。
【０３３２】
これにより、表示面１１４ａをみるユーザ４０１は、Ｙ軸方向において同じ位置に表示される、左右正像のオブジェクト画像３０２および左右反転画像を見る。ただし、ユーザ４０１がみる左右反転画像は、パネル１４ｂのうち、表示面１１４ｃと反対側の面に表示される画像である。パネル１４ｂのうち、表示面１１４ｃと反対側の面の発光量は、表示面１１４ｃの発光量より小さい。
【０３３３】
そのため、ユーザ４０１は、表示面１１４ａに表示されるオブジェクト画像３０２は、明確に視認できるが、左右反転画像はほとんど視認できない。したがって、ユーザ４０１は、左右正像のオブジェクト画像３０２を、明確に視認することができる。
【０３３４】
また、表示面１１４ｃをみるユーザ４０２は、Ｙ軸方向において同じ位置に表示される、左右反転画像および左右逆像のオブジェクト画像３０２を見る。ただし、ユーザ４０２がみるオブジェクト画像３０２は、パネル１４ａのうち、表示面１１４ａと反対側の面に表示される画像である。パネル１４ａのうち、表示面１１４ａと反対側の面の発光量は、表示面１１４ａの発光量より小さい。
【０３３５】
そのため、ユーザ４０２は、表示面１１４ｃに表示される左右反転画像（左右逆像のオブジェクト画像３０２）は、明確に視認できるが、パネル１４ａが表示する左右逆像のオブジェクト画像３０２ほとんど視認できない。したがって、ユーザ４０２は、左右反転画像（左右逆像のオブジェクト画像３０２）を、明確に視認することができる。
【０３３６】
また、文字情報表示方向制御部１７は、表示面１１４ａおよび表示面１１４ｃに表示するための文字情報の向きを制御する。具体的には、文字情報表示方向制御部１７は、第１パネル制御回路２０、第２パネル制御回路２１等を利用して、前記表示部１１ＮＡに、表示面１１４ａおよび表示面１１４ｃの各々において同一の文字情報を左右正像で表示させる。
【０３３７】
さらに、具体的には、ステップＳ１００ＭＡの表示処理ＭＡにおいて、文字情報表示方向制御部１７は、文字情報３０１および文字座標Ａを受信する。
【０３３８】
そして、文字情報表示方向制御部１７は、文字情報３０１および文字座標Ａを、第１パネル制御回路２０、第２パネル制御回路２１および透過率制御部５０１へ送信する。
【０３３９】
なお、文字情報表示方向制御部１７が文字情報３０１等を送信するタイミングは、画像表示方向制御部１６が前述の左右反転画像等を送信するタイミングと同じである。すなわち、画像表示方向制御部１６と、文字情報表示方向制御部１７とは、同期して動作する。
【０３４０】
表示制御処理ＮＡでは、第１パネル制御回路２０は、パネル１４ａの表示面１１４ａ内の文字座標Ａの位置に、文字情報３０１を表示するよう、ドライブ回路を用いてパネル１４ａを制御する。これにより、表示面１１４ａに文字情報３０１が左右正像で表示される。
【０３４１】
また、第２パネル制御回路２１は、パネル１４ｂの表示面１１４ｃにおいて、文字座標Ａを水平方向に反転した座標の位置に、文字情報３０１を表示するよう、ドライブ回路を用いてパネル１４ｂを制御する。ここで、表示面１１４ｃにおける、文字座標Ａを水平方向に反転した座標の位置と、表示面１１４ａにおける文字座標Ａの位置とは、特定方向（Ｙ軸方向）において一致する。これにより、表示面１１４ｃに、文字情報３０１が左右正像で表示される。
【０３４２】
なお、第１パネル制御回路２０がパネル１４ａを制御するタイミングは、第２パネル制御回路２１がパネル１４ｂを制御するタイミングと同じである。すなわち、第１パネル制御回路２０および第２パネル制御回路２１は、同期して、それぞれ、パネル１４ａおよびパネル１４ｂを駆動する。
【０３４３】
この場合、パネル１４ＮＡを含む前記表示部１１Ｂは、特定方向（Ｙ軸方向）において互いに一致する、表示面１１４ａ内の位置および表示面１１４ｃの位置に同一の文字情報を表示する。また、前記表示部１１ＮＡは、表示面１１４ａおよび表示面１１４ｃの各々において同一タイミングに、同一文字を左右正像で表示する。
【０３４４】
すなわち、特定方向（Ｙ軸方向）において互いに一致する、表示面１１４ａ内の位置および表示面１１４ｃの位置に、左右正像の同一の文字情報３０１が同一タイミングで表示される。
【０３４５】
これにより、表示面１１４ａをみるユーザ４０１は、Ｙ軸方向において同じ位置に表示される、左右正像の文字情報３０１および左右逆像の文字情報３０１を見る。ただし、ユーザ４０１がみる当該左右逆像の文字情報３０１は、パネル１４ｂのうち、表示面１１４ｃと反対側の面に表示される文字情報である。パネル１４ｂのうち、表示面１１４ｃと反対側の面の発光量は、表示面１１４ｃの発光量より小さい。
【０３４６】
そのため、ユーザ４０１は、表示面１１４ａに表示される文字情報３０１は、明確に視認できるが、左右逆像の文字情報３０１はほとんど視認できない。したがって、ユーザ４０１は、左右正像の文字情報３０１を、明確に視認することができる。
【０３４７】
なお、ユーザ４０１と同様に、ユーザ４０２は、表示面１１４ｃに表示される左右正像の文字情報３０１を、明確に視認することができる。
【０３４８】
なお、透過率変更処理Ｎは、実施の形態１と同様な処理が行なわれるので詳細な説明は繰り返さない。この処理により、領域の種類に応じて、各領域に対応する画像、文字等のコントラストを変化させることができる。
【０３４９】
以上説明したように、本実施の形態によれば、パネル１４ＮＡのＹ軸方向の同じ位置において、画像は、表示面１１４ｃにおいて左右逆像で表示され、文字情報は表示面１１４ａ，１１４ｃの各々において同一タイミングで左右正像で表示される。これにより、２つのパネルを同期して駆動させる構成において、文字の視認性を向上させることができる。
【０３５０】
また、互いに向き合うユーザ４０１およびユーザ４０２の間に透明ディスプレイ装置１０２Ｂを配置することにより、ユーザ４０１およびユーザ４０２は、相手の指差しまたは表情等を確認しながら、会話（対話）が可能となる。また、文字視認性の向上と、画像における互いの指差しの位置が一致することにより、お互いの情報共有が容易となる。したがって、複数人のユーザが透明ディスプレイ装置を挟んで対話する際に、情報共有を容易にすることができる。
【０３５１】
また、本実施の形態に係る透明ディスプレイ装置１０２Ｂは、２つのパネルを用いる構成である。これにより、高い輝度と解像度を維持することが可能となり、画質の向上や視認性の向上という効果を得ることができる。
【０３５２】
また、本実施の形態では、さらに、実施の形態１と同様に透過率変更処理Ｎが行われることにより、領域の種類に応じて、各領域に対応する画像、文字等のコントラストを変化させることができる。これにより、実施の形態１と同様な効果が得られる。例えば、文字情報３０１よりも、静止画像としてのオブジェクト画像３０２の視認性を向上させることができる。また、本実施の形態の透過率変更処理Ｎにおいて、さらに動画像３０３も処理される場合、文字情報３０１よりも、画像としてのオブジェクト画像３０２および動画像３０３の視認性を向上させることができる。
【０３５３】
なお、図２５に示される、本実施の形態の透明ディスプレイ装置１０２Ｂの構成は、一例であり、これに限定されない。例えば、表示制御部１２Ｂは、表示部１１ＮＡに含まれてもよい。この構成の場合、例えば、文字情報表示方向制御部１７は、表示部１１ＮＡ内の第１パネル制御回路２０および第２パネル制御回路２１に対し制御を行うことになる。すなわち、この場合、文字情報表示方向制御部１７は、表示部１１ＮＡに対し制御を行う。
【０３５４】
（実施の形態６）
本実施の形態では、動画像の特徴に応じた処理を行う構成について説明する。
【０３５５】
図２８は、本発明の実施の形態６に係る透明ディスプレイ装置１０２Ｃの構成を示すブロック図である。なお、図２８では、説明のために画像データ供給部２４も示している。
【０３５６】
図２８に示すように、透明ディスプレイ装置１０２Ｃは、図２の透明ディスプレイ装置１０１と比較して、信号処理部１３Ｎの代わりに信号処理部１３を備える点と、動画像判定部３１をさらに備える点とが異なる。透明ディスプレイ装置１０２Ｃのそれ以外の構成は、透明ディスプレイ装置１０１と同様なので詳細な説明は繰り返さない。
【０３５７】
図２９は、本発明の実施の形態６に係る透明ディスプレイ装置１０２Ｃが行う処理のフローチャートである。
【０３５８】
図３０は、本発明の実施の形態６に係る透明ディスプレイ装置１０２Ｃの動作に従ったパネル１４の表示例を示す図である。図３０（ａ）は、表示面１１４ａの表示例を示す。図３０（ｂ）は、表示面１１４ｄの表示例を示す。
【０３５９】
本実施の形態では、パネル１４は、一例として、文字情報３０１、オブジェクト画像３０２および動画像３０３を示すとする。オブジェクト画像３０２は、例えば、写真、イラスト等の静止画像である。動画像３０３は、例えば、動きの変化が大きいオブジェクト画像３０３ａを示す動画像である。
【０３６０】
本実施の形態では、要約すると、互いに向き合うユーザ４０１およびユーザ４０２の間に透明ディスプレイ装置１０２Ｃを配置した場合、文字情報３０１は、表示面１１４ａ，１１４ｂにおいて、左右正像で表示される。また、静止画像としてのオブジェクト画像３０２は、一方の表示面（表示面１１４ｄ）において、左右逆像で表示される。
【０３６１】
また、図３０に示される、動きの変化が大きいオブジェクト画像３０３ａを示す動画像３０３は、文字情報３０１と同様に、表示面１１４ａ，１１４ｄにおいて、左右正像で表示される。
【０３６２】
次に、図２９および図３０を用いて、透明ディスプレイ装置１０２Ｃが行う処理について説明する。
【０３６３】
ここで、一例として、画像データ供給部２４は、オブジェクト画像３０２および画像座標Ａを、画像表示方向制御部１６へ送信するとする。また、画像データ供給部２４は、文字情報３０１および文字座標Ａを、文字情報表示方向制御部１７へ送信するとする。
【０３６４】
また、画像データ供給部２４は、動画像３０３および当該動画像３０３の座標（動画像座標Ａ）を、動画像判定部３１へ送信するとする。
【０３６５】
また、ユーザ４０１およびユーザ４０２は、透明ディスプレイ装置１０２Ｃを挟んで向き合っているとする。ユーザ４０１およびユーザ４０２は、それぞれ、表示面１１４ａおよび表示面１１４ｄを見ているとする。
【０３６６】
この場合、ステップＳ１００ＭＢの表示処理ＭＢでは、動画像判定部３１は、動画像３０３および動画像座標Ａを受信すると、動画像判定処理を行う。なお、表示処理ＭＢでは、動画像判定処理と、前述の透過率変更処理Ｎとが独立して並列に実行される。
【０３６７】
動画像判定処理では、動画像判定部３１は、表示面１１４ａおよび表示面１１４ｄに表示するための動画像の特徴を判定する。そして、表示方向制御部としての文字情報表示方向制御部１７は、動画像判定部３１による判定結果に基づいて、表示面１１４ａおよび表示面１１４ｄの各々において該動画像を表示する向きを制御する。
【０３６８】
さらに、具体的には、動画像判定処理では、まず、動画像判定部３１が、受信した動画像３０３の特徴に基づいて、当該動画像の表示態様を、第１表示態様および第２表示態様のいずれとするか判定する。
【０３６９】
第１表示態様は、静止画像としてのオブジェクト画像３０２と同様な表示態様である。すなわち、第１表示態様は、２つの表示面の一方において表示対象物を左右正像で表示し、２つの表示面の他方において表示対象物を左右逆像で表示するという表示態様である。
【０３７０】
第２表示態様は、文字情報３０１と同様な表示態様である。すなわち、第２表示態様は、２つの表示面の両方において表示対象物を左右正像で表示するという表示態様である。
【０３７１】
具体的には、動画像判定処理では、動画像判定部３１が、受信した動画像３０３が示すオブジェクト画像３０３ａの所定時間における移動距離が閾値以上であるか否かを判定する。
【０３７２】
動画像判定部３１は、例えば、動画像を構成する１０フレームにおいて、オブジェクト画像３０３ａの移動距離が、所定の閾値以上である場合、移動距離が閾値以上であると判定する。この場合、動画像判定部３１は、当該動画像３０３の表示態様を、第２表示態様とするための処理を行う。具体的には、動画像判定部３１は、動画像３０３および動画像座標Ａを、文字情報表示方向制御部１７へ送信する。
【０３７３】
動画像３０３および動画像座標Ａを受信した文字情報表示方向制御部１７は、実施の形態３で説明した文字情報３０１を表示部１１Ｎに表示させるための処理と同様な処理を、動画像３０３に対して行う。なお、動画像３０３に対して行われる当該同様な処理（以下、動画像対象処理ともいう）の詳細な説明は繰り返さない。
【０３７４】
この動画像対象処理により、表示方向制御部としての文字情報表示方向制御部１７は、前記動画像判定部３１により前記オブジェクト画像３０３ａの所定時間における移動距離が閾値以上であると判定された場合、前記表示部１１Ｎに、表示面１１４ａおよび表示面１１４ｄの各々において前記動画像３０３を左右正像で表示させる。
【０３７５】
また、動画像対象処理により、動画像３０３は表示面１１４ａ，１１４ｄの各々において異なるタイミングで左右正像で表示される。
【０３７６】
なお、動画像判定処理において、オブジェクト画像３０３ａの所定時間における移動距離が閾値未満であると判定された場合、動画像判定部３１は、動画像３０３を第１表示態様で表示させるために、当該動画像３０３を、画像表示方向制御部１６へ送信する。この場合、画像表示方向制御部１６は、オブジェクト画像を表示させるための処理と同様な処理を、動画像３０３に対して行う。この場合、表示面１１４ａにおいては、左右正像の動画像３０３が表示され、表示面１１４ｄにおいては、左右逆像の動画像３０３が表示される。
【０３７７】
また、オブジェクト画像３０２を受信する画像表示方向制御部１６の動作は、実施の形態１と同様なので詳細な説明は繰り返さない。また、文字情報３０１を受信する文字情報表示方向制御部１７の動作は、実施の形態３と同様なので詳細な説明は繰り返さない。
【０３７８】
なお、透過率変更処理Ｎは、実施の形態１と同様な処理が行なわれるので詳細な説明は繰り返さない。この処理により、領域の種類に応じて、各領域に対応する画像、文字等のコントラストを変化させることができる。
【０３７９】
これにより、オブジェクト画像の動きの速い動画像３０３の視認性を向上させることができる。また、ユーザ４０１およびユーザ４０２の互いの指さしの位置を一致させることができ、情報共有がさらに容易となる。したがって、複数人のユーザが透明ディスプレイ装置を挟んで対話する際に、情報共有を容易にすることができる。
【０３８０】
また、本実施の形態では、さらに、実施の形態１と同様に透過率変更処理Ｎが行われることにより、領域の種類に応じて、各領域に対応する画像、文字等のコントラストを変化させることができる。これにより、実施の形態１と同様な効果が得られる。例えば、静止画像としてのオブジェクト画像３０２よりも、動画像３０３の視認性を向上させることができる。また、本実施の形態の構成に係る透過率変更処理Ｎにおいて、さらに動画像３０３も処理される場合、文字情報３０１よりも、画像としてのオブジェクト画像３０２および動画像３０３の視認性を向上させることができる。
【０３８１】
ここで、一例として、図３１（ａ）に示されるように、動画像３０３が、動きの変化が小さい動画像であるとする。すなわち、動画像３０３は、動きの遅いオブジェクト画像３０３ａを示すとする。
【０３８２】
この場合、動画像判定処理において、オブジェクト画像３０３ａの所定時間における移動距離が閾値未満であると判定されたとする。この場合、動画像判定部３１は、動画像３０３を第１表示態様で表示させるために以下の処理を行う。
【０３８３】
動画像判定部３１は、当該動画像３０３および動画像座標Ａを、画像表示方向制御部１６へ送信する。この場合、画像表示方向制御部１６は、動画像３０３等を受信すると、オブジェクト画像を表示させるための処理と同様な処理を、動画像３０３に対して行う。この場合、図３１（ａ）および図３１（ｂ）に示されるように、表示面１１４ａにおいては、左右正像の動画像３０３が表示され、表示面１１４ｄにおいては、左右逆像の動画像３０３が表示される。
【０３８４】
これにより、変化の小さい動画像に含まれる文字情報の視認性の良さを確保しつつ、互いの指さしの位置を一致させることができ、情報共有がさらに容易となる。
【０３８５】
なお、動画像の特徴から動画像の表示方向を判定する手法としては、上記方法に限定されない。例えば、フレーム間の変化量を算出し、その変化量が少ない場合には、動画像の表示態様を第１表示態様とすると判定する。
【０３８６】
なお、フレーム間の変化量の算出方法には特に制限はなく、フレーム間の類似度に基づいて算出する手法や、オプティカルフローや統計変化量に基づく算出手法など、公知の手法を用いることができる。
【０３８７】
また、フレーム間の変化量に限らず、動画像において文字情報が占める割合を算出し、その割合が多い場合には文字情報と同じ表示方向と判定する手法等を用いてもよい。なお、動画像から文字を抽出する方法に特に制限はない。例えば、色情報クラスタリング、２値化処理、ノイズ除去処理等を施した後、パターン辞書照合により文字を抽出する手法等の公知の手段を用いることができる。
【０３８８】
動画像の特徴に基づいて、静止画像と同じ表示方向に制御するか、もしくは文字情報と同じ表示方向に制御するかを判定する閾値は、ユーザが動画像を見て設定してもよい。
【０３８９】
また、表示面内でユーザが注目する領域、例えば文字や人間の顔などのフレーム間の変化量から、自動で、静止画像と同じ表示方向に制御するか、もしくは文字情報と同じ表示方向に制御するかを判定してもよい。
【０３９０】
なお、図２８に示される、本実施の形態の透明ディスプレイ装置１０２Ｃの構成は、一例であり、これに限定されない。例えば、表示制御部１２は、表示部１１Ｎに含まれてもよい。この構成の場合、例えば、文字情報表示方向制御部１７は、表示部１１Ｎ内の第１パネル制御回路１５に対し制御を行うことになる。すなわち、この場合、例えば、文字情報表示方向制御部１７は、表示部１１Ｎに対し制御を行う。
【０３９１】
また、本実施の形態の動画像判定部３１は、例えば、図２５の透明ディスプレイ装置１０２Ｂに設けてもよい。この場合、動画像判定部３１は、透明ディスプレイ装置１０２Ｃの構成と同様に、画像選択回路３０と、信号処理部１３との間に設けられる。
【０３９２】
（その他の変形例）
以上、本発明に係る透明ディスプレイ装置および表示制御方法について、前記各実施の形態に基づいて説明したが、本発明は、これら実施の形態に限定されるものではない。本発明の主旨を逸脱しない範囲内で、当業者が思いつく変形を本実施の形態に施したものも、本発明に含まれる。
【０３９３】
例えば、各実施の形態における表示部（例えば、表示部１１Ｎ）は、Ｙ軸方向に対し透光性を有するとしたがこれに限定されない。各実施の形態における表示部は、Ｙ軸を、９０度未満の所定角度（例えば４５度）傾けた軸に対しても透光性を有してもよい。
【０３９４】
また、上記の各実施の形態の透明ディスプレイ装置を構成する複数の構成要素の全てまたは一部は、ハードウエアで構成されてもよい。また、上記の透明ディスプレイ装置を構成する構成要素の全てまたは一部は、ＣＰＵ（Central Processing Unit）等により実行されるプログラムのモジュールであってもよい。
【０３９５】
また、上記の各実施の形態の透明ディスプレイ装置を構成する複数の構成要素の全てまたは一部は、１個のシステムＬＳＩ（Large Scale Integration：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Read Only Memory）及びＲＡＭ（Random Access Memory）などを含んで構成されるコンピュータシステムである。
【０３９６】
例えば、信号処理部１３は、１個のシステムＬＳＩ（集積回路）から構成されてもよい。
【０３９７】
また、本発明は、透明ディスプレイ装置が備える特徴的な構成部の動作をステップとする表示制御方法として実現してもよい。また、本発明は、そのような表示制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３９８】
また、上記実施の形態で用いた全ての数値は、本発明を具体的に説明するための一例の数値である。すなわち、本発明は、上記実施の形態で用いた各数値に制限されない。
【０３９９】
また、透明ディスプレイ装置の構成は、本発明を具体的に説明するための一例の構成である。例えば、実施の形態１に係る透明ディスプレイ装置は、図２に示される全ての構成要素を備えなくてもよい。つまり、本発明に係る透明ディスプレイ装置は、本発明の効果を実現できる最小限の構成のみを備えればよい。
【０４００】
また、本発明に係る表示制御方法は、各実施の形態の表示処理（例えば、図６の表示処理Ｎ）に相当する。
【０４０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０４０２】
本発明に係る透明ディスプレイ装置は、複数人のユーザが当該透明ディスプレイ装置を挟んで対話する際に、情報共有を容易にすることができ有用である。例えば、本発明に係る透明ディスプレイ装置は、映画館のチケット売り場、または、病院などの細菌を隔離する部屋の中にいる人とその部屋を外側から見る人の間を隔てなければならないなどの状況において有用である。
【符号の説明】
【０４０３】
Ｐ１１  ガラス基板
Ｐ１３  アノード電極
Ｐ１４  発光層
Ｐ１５  カソード電極
Ｐ１６  保護層
Ｐ１７  透明シール
ＰＸ１０，ＰＸ１２，ＰＸ２０  画素部
１１Ｎ，１１ＮＡ，１１ＴＡ  表示部
１２，１２Ｂ  表示制御部
１３，１３Ｎ  信号処理部
１４，１４ａ，１４ｂ，１４ＮＡ，１４ＴＡ，９１４  パネル
１５，２０  第１パネル制御回路
２１  第２パネル制御回路
２４  画像データ供給部
３１  動画像判定部
１０１，１０１Ａ，１０２，１０２Ａ，１０２Ｂ，１０２Ｃ，９００  透明ディスプレイ装置
１１４ａ，１１４ｂ，１１４ｃ，１１４ｄ，１１５ａ，１１５ｂ，９１４ａ，９１４ｂ  表示面
３０１Ｒ  文字領域
３０２，３０３ａ  オブジェクト画像
３０２Ｒ  静止画像領域
３０３Ｒ  動画像領域
３０４  背景領域
５０１  透過率制御部
５１０，５２０，５３０  透過率変更部
５１１  第１偏光板
５１２  第１基板
５１３，５２２  第１透明電極
５１４  液晶層
５１５，５２３  第２透明電極
５１６  第２基板
５１７  第２偏光板
【図１】
2013041099.tif 000003
【図２】
2013041099.tif 000004
【図３Ａ】
2013041099.tif 000005
【図３Ｂ】
2013041099.tif 000006
【図４Ａ】
2013041099.tif 000007
【図４Ｂ】
2013041099.tif 000008
【図５】
2013041099.tif 000009
【図６】
2013041099.tif 000010
【図７】
2013041099.tif 000011
【図８】
2013041099.tif 000012
【図９】
2013041099.tif 000013
【図１０】
2013041099.tif 000014
【図１１】
2013041099.tif 000015
【図１２】
2013041099.tif 000016
【図１３】
2013041099.tif 000017
【図１４】
2013041099.tif 000018
【図１５】
2013041099.tif 000019
【図１６】
2013041099.tif 000020
【図１７】
2013041099.tif 000021
【図１８】
2013041099.tif 000022
【図１９】
2013041099.tif 000023
【図２０】
2013041099.tif 000024
【図２１】
2013041099.tif 000025
【図２２】
2013041099.tif 000026
【図２３】
2013041099.tif 000027
【図２４】
2013041099.tif 000028
【図２５】
2013041099.tif 000029
【図２６】
2013041099.tif 000030
【図２７】
2013041099.tif 000031
【図２８】
2013041099.tif 000032
【図２９】
2013041099.tif 000033
【図３０】
2013041099.tif 000034
【図３１】
2013041099.tif 000035